(57)【要約】【課題】印刷データに定められた種類以外の表面効果を容易に確認することができる。【解決手段】記憶部５６Ｄは、濃度値と、表面効果の種類と、表面効果の種類に関連する他の表面効果としての紐付効果の種類と、を対応づけた表面効果選択テーブルを予め記憶する。読取部５６Ｋは、種別情報がテスト印刷を示すと判別された場合に、第１光沢制御版データに定められた濃度値に対応する、表面効果の種類および紐付効果の種類を、表面効果選択テーブルから読取る。第１生成部５６Ｐは、第１光沢制御版データに定められた表面効果の種類および光沢領域と、該表面効果の種類に対応する読取った紐付効果の種類および紐付効果を付与する紐付領域と、を規定した第２光沢制御版データを生成する。第２生成部５６Ｇは、第２光沢制御版データから、記録媒体に特色色材を付与する実行部（印刷装置）で用いる特色色材版データを生成する。【選択図】図１０
2016066066.tif 000002
【特許請求の範囲】
【請求項１】
記録媒体に対する視覚的または触覚的な効果である表面効果を示す濃度値と、前記表面効果の種類と、前記表面効果の種類に関連する他の表面効果としての紐付効果の種類と、を対応づけた表面効果選択テーブルを予め記憶する記憶部と、
通常印刷またはテスト印刷を示す種別情報と、前記表面効果の種類と前記表面効果を与える光沢領域とを規定するための濃度値が定められた第１光沢制御版データと、有色画像の第１有色版データと、を含む印刷データを取得する取得部と、
前記種別情報が前記通常印刷を示すか前記テスト印刷を示すかを判別する判別部と、
前記種別情報が前記テスト印刷を示すと判別された場合に、前記第１光沢制御版データに定められた濃度値に対応する、前記表面効果の種類および前記紐付効果の種類を、前記表面効果選択テーブルから読取る読取部と、
前記第１光沢制御版データに定められた前記表面効果の種類および前記光沢領域と、該表面効果の種類に対応する読取った前記紐付効果の種類および前記紐付効果を付与する紐付領域と、を規定した第２光沢制御版データを生成する第１生成部と、
前記第２光沢制御版データから、記録媒体に特色色材を付与する実行部で用いる特色色材版データを生成する第２生成部と、
を備えた画像処理装置。
【請求項２】
前記種別情報が前記通常印刷を示すと判別された場合に、前記第１光沢制御版データにおける、前記表面効果の分析情報を算出する算出部と、
前記算出部による算出結果に応じて、前記表面効果の種類と、前記分析情報と、を対応づけた履歴情報を更新する第１更新部と、
前記履歴情報に応じて、前記表面効果の種類の各々に紐付すべき他の表面効果の種類を選択し、選択した前記他の表面効果の種類を、前記表面効果の種類の各々に対応する前記紐付効果の種類として登録することで、前記表面効果選択テーブルを更新する第２更新部と、
を更に備えた、請求項１に記載の画像処理装置。
【請求項３】
前記第２更新部は、
前記履歴情報に応じて、前記表面効果の種類の各々に類似および非類似の少なくとも一方の他の表面効果の種類を選択し、選択した前記他の表面効果の種類を、前記表面効果の種類の各々に対応する前記紐付効果の種類として登録することで、前記表面効果選択テーブルを更新する、
請求項２に記載の画像処理装置。
【請求項４】
前記第２更新部は、
ユーザによって設定された、前記表面効果の種類の各々に類似および非類似の少なくとも一方の表面効果の種類を、前記履歴情報に応じて選択し、選択した前記他の表面効果の種類を、前記表面効果の種類の各々に対応する前記紐付効果の種類として登録することで、前記表面効果選択テーブルを更新する、請求項３に記載の画像処理装置。
【請求項５】
前記第２更新部は、
ユーザによって指定された範囲または期間の前記履歴情報に応じて、前記表面効果の種類の各々に紐付すべき他の表面効果の種類を選択し、選択した前記他の表面効果の種類を、前記表面効果の種類の各々に対応する前記紐付効果の種類として登録することで、前記表面効果選択テーブルを更新する、
請求項２に記載の画像処理装置。
【請求項６】
前記第２更新部は、
ユーザによる入力部の操作指示により、前記表面効果選択テーブルに登録されている前記紐付効果の種類の少なくとも一部の変更や、新たな紐付効果の種類の登録を受け付け、受付けた該紐付効果の種類を前記表面効果選択テーブルに登録することで、前記表面効果選択テーブルを更新する、請求項１に記載の画像処理装置。
【請求項７】
前記分析情報は、前記表面効果の種類の使用回数と、前記使用回数１回あたりの前記光沢領域の平均面積と、を含む、請求項２〜請求項６の何れか１項に記載の画像処理装置。
【請求項８】
前記光沢領域と、前記紐付領域と、の各々の記録媒体への印刷設定を示す設定情報の指定を受け付ける受付部を更に備え、
前記第１生成部は、
受け付けた前記設定情報に応じて、前記第２光沢制御版データを生成する、請求項１〜請求項７の何れか１項に記載の画像処理装置。
【請求項９】
前記受付部は、ユーザによって設定された前記設定情報の指定を受け付ける、請求項８に記載の画像処理装置。
【請求項１０】
前記第１生成部は、
受け付けた前記設定情報に応じて、前記第１光沢制御版データに定められた前記表面効果の種類および前記光沢領域と、該表面効果の種類に対応する読取った前記紐付効果の種類および前記紐付効果を付与する紐付領域と、を異なるページに規定した、前記第２光沢制御版データを生成する、
請求項８または請求項９に記載の画像処理装置。
【請求項１１】
前記実行部は、有色色材を付着させるための有色色材版データに基づいて記録媒体に前記有色画像を形成し、
前記第１生成部は、
受け付けた前記設定情報が重複領域の抽出を示す第１設定を示す場合に、
前記第１有色版データによって規定される前記有色画像における、前記第１光沢制御版データによって示される前記光沢領域に重複する重複領域を抽出した第２有色版データを更に生成し、
前記第２生成部は、前記第２有色版データから、前記実行部で用いる前記有色色材版データを更に生成する、
請求項８〜請求項１０の何れか１項に記載の画像処理装置。
【請求項１２】
前記第１生成部は、
受け付けた前記設定情報に示される印刷速度を示す第２設定が、画質優先と速度優先との双方を示す場合に、
前記第１光沢制御版データに定められた前記表面効果の種類および前記光沢領域と、該表面効果の種類に対応する読取った前記紐付効果の種類および前記紐付領域と、を規定した、前記画質優先としての第３光沢制御版データと、
前記第１光沢制御版データに定められた前記表面効果の種類および前記光沢領域と、該表面効果の種類に対応する読取った前記紐付効果の種類および前記紐付領域と、を規定すると共に、各画素に付与される色材の総量が総量規制値以下となるように濃度値を調整した、前記速度優先としての第４光沢制御版データと、
を含む、前記第２光沢制御版データを生成する、
請求項８〜請求項１１の何れか１項に記載の画像処理装置。
【請求項１３】
前記第１生成部は、
受け付けた前記設定情報が、前記光沢領域と前記紐付領域とを、設定された枚数の記録媒体に印刷する第３設定を示す場合、
前記第１光沢制御版データに含まれる各ページの各々に定められた前記光沢領域と、前記紐付領域と、を設定された前記枚数のページに配置した、前記第２光沢制御版データを生成する、
請求項７〜請求項１２の何れか１項に記載の画像処理装置。
【請求項１４】
前記第１生成部は、
受け付けた前記設定情報が前記第３設定と、前記第１光沢制御版データに規定された前記表面効果の種類の前記光沢領域、および該表面効果の種類に対応する前記紐付効果の前記紐付領域を、設定された前記枚数のページ内に収まるように再配置する第４設定と、を示す場合、
前記第１光沢制御版データに含まれる各ページの各々に規定された前記光沢領域と、前記光沢領域に対応する読取った前記紐付領域と、の各々を、設定された前記枚数のページ内に収まるように再配置した、前記第２光沢制御版データを生成する、
請求項１３に記載の画像処理装置。
【請求項１５】
前記第１生成部は、
受け付けた前記設定情報が前記第３設定と、複数ページからなる前記第１光沢制御版データによって規定された前記表面効果の種類の前記光沢領域、および該表面効果の種類に対応する前記紐付効果の前記紐付領域を、設定された前記枚数のページに集約する第５設定と、を示す場合、
前記第１光沢制御版データに含まれる各ページの各々に規定された前記光沢領域と、前記光沢領域に対応する読取った前記紐付領域と、を前記第２光沢制御版データの各ページ内における前記光沢領域の相対位置を維持したまま、設定された前記枚数のページに集約させて配置した、前記第２光沢制御版データを生成する、
請求項１３または請求項１４に記載の画像処理装置。
【請求項１６】
前記第１生成部は、
受け付けた前記設定情報が前記第３設定と、前記光沢領域および前記紐付領域の各々を予め定めた形状で配置する第６設定と、を示す場合、
前記第１光沢制御版データに含まれる各ページの各々に規定された前記光沢領域と、前記光沢領域に対応する読取った前記紐付領域と、の各々を、設定された前記枚数のページ内に、前記形状として配置した、前記第２光沢制御版データを生成する、
請求項１３〜請求項１５の何れか１項に記載の画像処理装置。
【請求項１７】
前記実行部は、有色色材を付着させるための有色色材版データに基づいて記録媒体に前記有色画像を形成し、
前記第１生成部は、
前記第２光沢制御版データにおける、前記光沢領域および前記紐付領域の各々に対応する位置に、対応する前記光沢領域の前記表面効果の種類を示す文字情報、および対応する前記紐付領域の前記紐付効果の種類を示す文字情報の各々を示す有色画像を付加した、第２有色版データを生成する、
請求項１に記載の画像処理装置。
【請求項１８】
記録媒体に対する視覚的または触覚的な効果である表面効果を示す濃度値と、前記表面効果の種類と、前記表面効果の種類に関連する他の表面効果としての紐付効果の種類と、を対応づけた表面効果選択テーブルを予め記憶する記憶部を備えた画像処理装置で実行する画像処理方法であって、
通常印刷またはテスト印刷を示す種別情報と、前記表面効果の種類と前記表面効果を与える光沢領域とを規定するための濃度値が定められた第１光沢制御版データと、有色画像の第１有色版データと、を含む印刷データを取得するステップと、
前記種別情報が前記通常印刷を示すか前記テスト印刷を示すかを判別するステップと、
前記種別情報が前記テスト印刷を示すと判別された場合に、前記第１光沢制御版データに定められた濃度値に対応する、前記表面効果の種類および前記紐付効果の種類を、前記表面効果選択テーブルから読取るステップと、
前記第１光沢制御版データに定められた前記表面効果の種類および前記光沢領域と、該表面効果の種類に対応する読取った前記紐付効果の種類および前記紐付効果を付与する紐付領域と、を規定した第２光沢制御版データを生成するステップと、
前記第２光沢制御版データから、記録媒体に特色色材を付与する実行部で用いる特色色材版データを生成するステップと、
を含む、画像処理方法。
【請求項１９】
特色色材版データに応じて、記録媒体に特色色材を付与する実行部と、
記録媒体に対する視覚的または触覚的な効果である表面効果を示す濃度値と、前記表面効果の種類と、前記表面効果の種類に関連する他の表面効果としての紐付効果の種類と、を対応づけた表面効果選択テーブルを予め記憶する記憶部と、
通常印刷またはテスト印刷を示す種別情報と、前記表面効果の種類と前記表面効果を与える光沢領域とを規定するための濃度値が定められた第１光沢制御版データと、有色画像の第１有色版データと、を含む印刷データを取得する取得部と、
前記種別情報が前記通常印刷を示すか前記テスト印刷を示すかを判別する判別部と、
前記種別情報が前記テスト印刷を示すと判別された場合に、前記第１光沢制御版データに定められた濃度値に対応する、前記表面効果の種類および前記紐付効果の種類を、前記表面効果選択テーブルから読取る読取部と、
前記第１光沢制御版データに定められた前記表面効果の種類および前記光沢領域と、該表面効果の種類に対応する読取った前記紐付効果の種類および前記紐付効果を付与する紐付領域と、を規定した第２光沢制御版データを生成する第１生成部と、
前記第２光沢制御版データから、前記特色色材版データを生成する第２生成部と、
を備えた画像処理システム。
【請求項２０】
前記実行部と、前記取得部と、前記読取部と、前記第１生成部と、前記第２生成部と、を備えた画像処理装置と、
前記画像処理装置とは別体として設けられた前記記憶部と、
を備えた請求項１９に記載の画像処理システム。
【発明の詳細な説明】
【技術分野】
【０００１】
本発明は、画像処理装置、画像処理方法、および画像処理システムに関する。
【背景技術】
【０００２】
ＣＭＹＫ等の有色トナーの他に、有色トナー以外の特色トナーを用いて画像を形成する装置が知られている。また、特色トナーを用いて、記録媒体に光沢等の表面効果を与える技術が知られている（例えば、特許文献１参照）。
【０００３】
特許文献１には、印刷データに含まれる、表面効果の種類と表面効果を与える光沢領域とを定めた光沢制御版データを用いて、印刷装置で用いる特色色材版データを生成することが開示されている。
【発明の概要】
【発明が解決しようとする課題】
【０００４】
しかしながら、従来では、印刷データに定められた種類以外の表面効果を容易に確認することが出来なかった。
【課題を解決するための手段】
【０００５】
上述した課題を解決し、目的を達成するために、画像処理装置は、記録媒体に対する視覚的または触覚的な効果である表面効果を示す濃度値と、前記表面効果の種類と、前記表面効果の種類に関連する他の表面効果としての紐付効果の種類と、を対応づけた表面効果選択テーブルを予め記憶する記憶部と、通常印刷またはテスト印刷を示す種別情報と、前記表面効果の種類と前記表面効果を与える光沢領域とを規定するための濃度値が定められた第１光沢制御版データと、有色画像の第１有色版データと、を含む印刷データを取得する取得部と、前記種別情報が前記通常印刷を示すか前記テスト印刷を示すかを判別する判別部と、前記種別情報が前記テスト印刷を示すと判別された場合に、前記第１光沢制御版データに定められた濃度値に対応する、前記表面効果の種類および前記紐付効果の種類を、前記表面効果選択テーブルから読取る読取部と、前記第１光沢制御版データに定められた前記表面効果の種類および前記光沢領域と、該表面効果の種類に対応する読取った前記紐付効果の種類および前記紐付効果を付与する紐付領域と、を規定した第２光沢制御版データを生成する第１生成部と、前記第２光沢制御版データから、記録媒体に特色色材を付与する実行部で用いる特色色材版データを生成する第２生成部と、を備える。
【発明の効果】
【０００６】
本発明によれば、印刷データに定められた種類以外の表面効果を容易に確認することが出来る、という効果を奏する。
【図面の簡単な説明】
【０００７】
【図１】図１は、画像処理システムの構成を例示する図である。
【図２】図２は、第１有色版データの一例を示す説明図である。
【図３】図３は、表面効果の種類の一例を示す図である。
【図４】図４は、第１光沢制御版データの一例を示す説明図である。
【図５】図５は、濃度値選択テーブルの一例を示す図である。
【図６】図６は、描画オブジェクト、座標、濃度値の対応関係を示す図である。
【図７】図７は、印刷データの構成例を概念的に示す模式図である。
【図８】図８は、ＤＦＥの機能的構成を示すブロック図である。
【図９】図９は、ＭＩＣと印刷装置とを示す模式図である。
【図１０】図１０は、クリアプロセッシングの機能ブロック図である。
【図１１】図１１は、表面効果選択テーブルの一例を示す図である。
【図１２】図１２は、履歴情報のデータ形式の一例を示す図である。
【図１３】図１３は、他の表面効果の種類の選択方法の一例を示す図である。
【図１４】図１４は、印刷設定テーブルの一例を示す図である。
【図１５】図１５は、第２光沢制御版データの生成の説明図である。
【図１６】図１６は、第２光沢制御版データの生成の説明図である。
【図１７】図１７は、第２光沢制御版データの生成の説明図である。
【図１８−１】図１８−１は、第２光沢制御版データの生成の説明図である。
【図１８−２】図１８−２は、第２光沢制御版データの生成の説明図である。
【図１８−３】図１８−３は、第２光沢制御版データの生成の説明図である。
【図１８−４】図１８−４は、第２光沢制御版データの生成の説明図である。
【図１９】図１９は、画像処理の手順を示すフローチャートである。
【図２０】図２０は、画像処理システムの一例を示す模式図である。
【図２１】図２１は、画像処理システムの構成を例示する図である。
【図２２】図２２は、サーバ装置の機能的構成を示すブロック図である。
【図２３】図２３は、ＤＦＥの機能ブロック図である。
【図２４】図２４は、画像処理の全体の流れを示すシーケンス図である。
【図２５】図２５は、ネットワーク構成図である。
【図２６】図２６は、ハードウェア構成図である。
【発明を実施するための形態】
【０００８】
以下に添付図面を参照して、画像処理装置、画像処理方法、および画像処理システムの実施の形態を詳細に説明する。
【０００９】
（実施の形態１）
まず、実施の形態１に係る画像処理システムの構成を説明する。
【００１０】
図１は、本実施の形態の画像処理システムの構成の一例を示す図である。本実施の形態では、画像処理システムは画像処理装置（ＤＦＥ：Ｄｉｇｉｔａｌ  Ｆｒｏｎｔ  Ｅｎｄ）５０（以下、「ＤＦＥ５０」という。ＤＦＥ５０は、画像処理装置に相当する。）と、インタフェースコントローラ（ＭＩＣ：Ｍｅｃｈａｎｉｓｍ  Ｉ／Ｆ  Ｃｏｎｔｏｒｏｌｌｅｒ）６０（以下、「ＭＩＣ６０」という。）と、プリンタ機７０と、後処理機としてグロッサ８０及び低温定着機９０と、が接続されて構成される。
【００１１】
ＤＦＥ５０は、ＭＩＣ６０を介してプリンタ機７０と通信を行い、プリンタ機７０での画像の形成を制御する。
【００１２】
また、ＤＦＥ５０には、ＰＣ（Ｐｅｒｓｏｎａｌ  Ｃｏｍｐｕｔｅｒ）等のホスト装置１０が接続されている。ＤＦＥ５０は、ホスト装置１０から印刷データを受信し、出力データを生成して、これを、ＭＩＣ６０を介してプリンタ機７０に送信する。
【００１３】
プリンタ機７０には、ＣＭＹＫの有色トナーと特色トナーとが少なくとも搭載されており、各トナーに対して感光体、帯電器、現像器及び感光体クリーナを含む作像ユニット、露光器及び定着機が各々搭載されている。
【００１４】
なお、本実施の形態では、プリンタ機７０は、トナーを用いて画像を形成する装置である場合を説明するが、色材を含むインクを用いて画像を形成する装置であってもよく、画像形成に用いる色材は、トナーに限定されない。インクを用いて画像を形成する場合、印刷装置３０には、インクジェットプリンタを用いた構成をとればよい。
【００１５】
プリンタ機７０は、受信した出力データに基づいて、ＣＭＹＫの有色トナー及び特色トナーに応じたトナー像を記録媒体に形成する。出力データには、詳細は後述するが、特色トナーを付与するための、プリンタ機７０で用いる特色色材版データと、有色トナーを付与するための有色色材版データと、が含まれる。プリンタ機７０は、特色色材版データに基づいて、特色トナーを記録媒体に付与し、有色版データに基づいて、有色トナーを記録媒体に付与することで、トナー像を形成する。
【００１６】
なお、本実施の形態では、一例として、印刷装置３０は、トナーを用いて画像を形成する場合を説明する。
【００１７】
また、本実施の形態では、プリンタ機７０と、グロッサ８０と、低温定着機９０と、によって印刷装置３０を構成している。なお、印刷装置３０が、画像形成を実行する実行部に相当する。実行部は、特色トナーおよび有色トナーの少なくとも一方を記録媒体に付与することで、画像形成を実行する。本実施の形態では、印刷装置３０が、実行部に相当するものとして説明する。
【００１８】
ここで、特色トナーとは、記録媒体に表面効果を施したり、記録媒体に光沢領域を形成したりするために用いるトナーである。特色トナーは、ＣＭＹＫの有色トナー以外の色のトナーである。特色トナーには、例えば、透明な（無色の）トナーや、白色トナーや、金色のトナーや、銀色のトナーなどがある。なお、透明（無色）とは、例えば、透過率が７０％以上であることを示す。本実施の形態では、特色トナーとして、透明トナーを用いる場合を一例として説明する。しかし、特色トナーとして、白色トナーなどを用いた形態であってもよい。
【００１９】
プリンタ機７０は、ＭＩＣ６０を介してＤＦＥ５０から送信された出力データに応じて、露光器から光ビームを照射して各トナーに応じたトナー像を感光体上に形成する。そして、このトナー像を記録媒体に転写し、定着機によって所定の範囲内の温度（通常温度）での加熱及び加圧で定着させる。これによって記録媒体に画像が形成される。プリンタ機７０の構成は、例えば、公知の電子写真方式を用いた構成である。なお、記録媒体は、画像形成可能な媒体であればよい。記録媒体は、例えば、公知の紙媒体（用紙）、合成紙、ビニール紙などである。
【００２０】
グロッサ８０は、ＤＦＥ５０から指定されるオンオフ情報によりオン又はオフが制御される。グロッサ８０は、オンにされた場合に、プリンタ機７０により記録媒体に形成された画像を高温及び高圧で加圧し、その後、冷却して本体から画像が形成された記録媒体を剥離する。これにより記録媒体に形成された画像全体において所定以上のトナーが付着した各画素のトナーの総付着量は均一に圧縮される。
【００２１】
低温定着機９０には、特色トナー用の感光体、帯電器、現像器および感光体クリーナを含む作像ユニット、露光器及び特色トナーを定着させるための定着機が搭載されており、低温定着機９０を用いるためにＤＦＥ５０が生成した後述の特色色材版データが入力される。低温定着機９０で用いる特色色材版データをＤＦＥ５０が生成した場合には、低温定着機９０は、これを用いて特色トナーによるトナー像を形成し、グロッサ８０が加圧した記録媒体上に当該トナー像を重ねて、定着機によって通常よりも低い加熱または加圧で記録媒体に定着させる。
【００２２】
ここで、ホスト装置１０からＤＦＥ５０に出力される印刷データについて説明する。
【００２３】
ホスト装置１０は、予めインストールされた画像処理アプリケーションにより印刷データを生成し、ＤＦＥ５０に送信する。画像処理アプリケーションでは、ＲＧＢ版やＣＭＹＫ版などの各色版における各色の濃度値を画素毎に規定した画像データに対して、特色版の画像データを取り扱うことが可能である。特色版とは、ＣＭＹＫやＲＧＢなどの基本的なカラーの他に、白、金、銀といった特色トナーやインクを付着させるための画像データであり、このような特色トナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００２４】
本実施の形態では、特色トナーを、記録媒体に付与する視覚的または触覚的な効果である表面効果を形成するために用いる。
【００２５】
このため、ホスト装置１０の画像処理アプリケーションは、入力された画像データに対して、有色版データの他、ユーザの指定により、光沢制御版データを特色版の画像データとして生成する。
【００２６】
有色版データとは、有色画像を規定したデータである。詳細には、有色版データは、画素毎にＲＧＢやＣＭＹＫ等の有色の濃度値を規定した画像データである。有色版データは、例えば、１画素を８ｂｉｔで表現する。これにより、有色版データは、ユーザによって定められた色および濃度を画素ごとに規定する。なお、以下では、ＤＦＥ５０がホスト装置１０から受け付ける印刷データに含まれる有色版データを、第１有色版データと称して説明する。
【００２７】
図２は、第１有色版データの一例を示す説明図である。図２において、「Ａ」、「Ｂ」、「Ｃ」等の描画オブジェクトごとにユーザが画像処理アプリケーションで定めた色に対応する濃度値が付与される。
【００２８】
光沢制御版データは、記録媒体に対する視覚的または触覚的な効果である表面効果の種類と、表面効果を付与する記録媒体における光沢領域（以下、光沢領域と称する）と、を規定するための濃度値の定められたデータである。言い換えると、光沢制御版データは、表面効果の種類を示す濃度値を画素ごとに定めたデータである。また、光沢制御版データは、濃度値を定めた画素の群（画素群）によって、表面効果を付与する領域である光沢領域を定める。このため、光沢制御版データでは、各画素ごとに濃度値を定めることで、表面効果の種類および光沢領域を規定することとなる。
【００２９】
なお、以下では、ＤＦＥ５０がホスト装置１０から受け付ける印刷データに含まれる光沢制御版データを、第１光沢制御版データと称して説明する。
【００３０】
第１光沢制御版データは、例えば、画素毎に８ｂｉｔで「０」〜「２５５」の範囲の濃度値で表され、この濃度値に、表面効果の種類が対応付けられる（なお、濃度値は、１６ビットや３２ビット、または０〜１００％で表してもよい）。また、同一の表面効果を与えたい領域には実際に付着させる特色トナーの濃度と関係なく同一の値が設定される。このため、領域を示すデータがなくとも必要に応じて、第１光沢制御版データから容易に領域が特定できる。即ち、第１光沢制御版データによって、表面効果の種類と、表面効果を与える光沢領域と、が表される。なお、第１光沢制御版データに、表面効果を与える光沢領域を表すデータを、別途付与してもよい。
【００３１】
ホスト装置１０は、ユーザが画像処理アプリケーションにより定めた描画オブジェクトに対する表面効果の種類を、描画オブジェクトごとに濃度値として設定し、ベクター形式の第１光沢制御版データを生成する。
【００３２】
この第１光沢制御版データを構成する各画素は、第１有色版データの画素に対応する。なお、第１有色版データ及び第１光沢制御版データは共にページ単位で構成される。
【００３３】
図３は、表面効果の種類の一例を示す図である。表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００３４】
鏡面光沢やベタ光沢は、光沢を与える度合いが高く、逆に、網点マットやつや消しは、光沢を抑えるためのものである。特に、つや消しは、通常の記録媒体が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。
【００３５】
また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。
【００３６】
なお、処理対象の画像データによって表される画像の、どの領域に表面効果を与えるのか、や、その領域にどの種類の表面効果を与えるのか、については、画像処理アプリケーションを介してユーザにより指定される。画像処理アプリケーションを実行するホスト装置１０では、ユーザにより定められた領域を構成する描画オブジェクトについて、ユーザが定めた表面効果に対応する濃度値がセットされることにより、表面効果を与える光沢領域と、表面効果の種類と、を規定した第１光沢制御版データが生成される。濃度値と表面効果の種類との対応関係については後述する。
【００３７】
図４は、第１光沢制御版データの一例を示す説明図である。図４の第１光沢制御版データの例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図５参照）で、表面効果の種類に対応して定められる。
【００３８】
このように、第１光沢制御版データは、ホスト装置１０の画像処理アプリケーションにより、第１有色版データとは別のプレーンで生成される。また、第１有色版データ、および、第１光沢制御版データ、の各データ形式には、例えば、ＰＤＦ（Ｐｏｒｔａｂｌｅ  Ｄｏｃｕｍｅｎｔ  Ｆｏｒｍａｔ）形式が用いられ、各版のＰＤＦの画像データを統合した印刷データが生成される。なお、各版の画像データのデータ形式は、ＰＤＦに限定されるものではなく、任意の形式を用いることができる。
【００３９】
ここで、ホスト装置１０の画像処理アプリケーションは、ユーザが定めた表面効果の種類を濃度値に変換することで、第１光沢制御版データを生成する。この変換は、ホスト装置１０の記憶部に予め記憶された濃度値選択テーブルを参照して行われる。
【００４０】
濃度値選択テーブルは、表面効果の種類と、当該表面効果の種類に対応する第１光沢制御版データの濃度値とを対応付けたテーブルデータである。
【００４１】
図５は、濃度値選択テーブルの一例を示す図である。図５の例では、ユーザにより「ＰＧ」（鏡面光沢）が定められた領域に対応する濃度値は「９８％」に相当する画素値であり、「Ｇ」（ベタ光沢）が定められた領域に対応する濃度値は「９０％」に相当する画素値であり、「Ｍ」（網点マット）が定められた領域に対応する濃度値は「１６％」に相当する画素値であり、「ＰＭ」（つや消し）が定められた領域に対応する濃度値は「６％」に相当する画素値である。
【００４２】
この濃度値選択テーブルに格納されている表面効果の種類と濃度値との対応は、ＤＦＥ５０で記憶している表面効果選択テーブル（詳細後述）に記述されている、表面効果の種類と濃度値との対応と同じである。
【００４３】
ホスト装置１０の制御部が所定のタイミングで、表面効果選択テーブルを印刷装置３０から取得し、取得した表面効果選択テーブルから、濃度値選択テーブルを生成して（コピーして）記憶部に保存する。ここで、図５では、濃度値選択テーブルの例を簡略化して示しているが、実際は、濃度値選択テーブルで規定されている表面効果の種類と濃度値との対応は、後述する表面効果選択テーブルで規定されている表面効果の種類と濃度値との対応と同一である。
【００４４】
なお、インターネット等のネットワーク上のストレージサーバ（クラウド）に、後述する表面効果選択テーブルを保存しておいてもよい。この場合、ホスト装置１０の制御部は、当該サーバから該表面効果選択テーブルを取得して、取得した表面効果選択テーブルから濃度値選択テーブル生成（コピー）すればよい。ただし、ＤＦＥ５０で記憶している表面効果選択テーブルと、ホスト装置１０の記憶部に保存された濃度値選択テーブルと、における表面効果の種類と濃度値との対応は、同じである必要がある。
【００４５】
ホスト装置１０の画像処理アプリケーションは、図５に示す濃度値選択テーブルを参照しながら、ユーザにより所定の表面効果が定められた描画オブジェクト（すなわち、表面効果を与える光沢領域）に、定められた表面効果の種類に対応する濃度値を設定することで、第１光沢制御版データを生成する。
【００４６】
例えば、ユーザにより、図２に示した第１有色版データである対象画像のうち、「ＡＢＣ」と表示される領域に「ＰＧ」、長方形の領域に「Ｇ」、円形の領域に「Ｍ」を与えることが定められた場合を想定する。この場合、ホスト装置１０は、濃度値選択テーブルを参照して、ユーザにより「ＰＧ」が定められた描画オブジェクト（「ＡＢＣ」）の濃度値を「９８％」に相当する画素値に設定し、「Ｇ」が定められた描画オブジェクト（「長方形」）の濃度値を「９０％」に相当する画素値に設定し、「Ｍ」が定められた描画オブジェクト（「円形」）の濃度値を「１６％」に相当する画素値に設定することで、第１光沢制御版データを生成する。
【００４７】
ホスト装置１０で生成された第１光沢制御版データは、点の座標と、それを結ぶ線や面の方程式のパラメータ、および、塗り潰しや特色効果などを示す描画オブジェクトの集合として表現されるベクター形式のデータである。
【００４８】
図４は、第１光沢制御版データをイメージとして示した図であり、図６は、図４の第１光沢制御版データにおいて、描画オブジェクト、座標、濃度値との対応関係を示す図である。
【００４９】
そして、ホスト装置１０は、第１光沢制御版データと、第１有色版データと、ジョブコマンドと、を含む印刷データを生成する。ジョブコマンドは、種別情報を含む。なお、ジョブコマンドは、例えば、プリンタの設定、集約の設定、両面の設定などをプリンタに対して指定するコマンドなどの各種情報を含んでいてもよい。
【００５０】
種別情報は、通常印刷またはテスト印刷を示す。テスト印刷は、印刷状態の確認のための画像形成を示す。通常印刷は、印刷データに応じた画像形成を示す。
【００５１】
図７は、印刷データの構成例を概念的に示す模式図である。図７の例では、ジョブコマンドとして、ＪＤＦ（Ｊｏｂ  Ｄｅｆｉｎｉｔｉｏｎ  Ｆｏｒｍａｔ）が用いられているが、これに限られるものではない。図７示すＪＤＦは、集約の設定として「片面印刷・ステープル有り」を指定するコマンドである。なお、図７では、図示を省略したが、ジョブコマンドには、通常印刷、または、テスト印刷を示す、種別情報が含まれる。
【００５２】
また、印刷データは、ＰｏｓｔＳｃｒｉｐｔ（登録商標）のようなページ記述言語（ＰＤＬ）に変換されてもよいし、ＤＦＥ５０が対応していれば、ＰＤＦ形式のままでもよい。
【００５３】
次に、ＤＦＥ５０の機能的構成について説明する。図８は、ＤＦＥ５０の機能的構成を示すブロック図である。ＤＦＥ５０は、画像処理装置に相当する。
【００５４】
ＤＦＥ５０は、レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７と、を有する。
【００５５】
レンダリングエンジン５１と、ｓｉ１部５２と、ＴＲＣ５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。
【００５６】
すなわち、レンダリングエンジン５１、ｓｉ１部５２、ＴＲＣ５３、ｓｉ２部５４、ハーフトーンエンジン５５、クリアプロセッシング５６、及びｓｉ３部５７の一部またはすべては、例えば、ＣＰＵ（Ｃｅｎｔｒａｌ  Ｐｒｏｃｅｓｓｉｎｇ  Ｕｎｉｔ）などの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００５７】
ｓｉ１部５２、ｓｉ２部５４及びｓｉ３部５７はいずれも、画像データを分離する（ｓｅｐａｔａｔｅ）機能と、画像データを統合する（ｉｎｔｅｇｒａｔｅ）機能とを有するものである。
【００５８】
レンダリングエンジン５１は、ホスト装置１０から送信された印刷データを受け付ける。レンダリングエンジン５１は、入力された印刷データに含まれる、第１光沢制御版データ、第１有色版データの、各々について、ベクター形式をラスター形式に変換する。また、レンダリングエンジン５１は、第１有色版データについては、ＲＧＢ形式等で表現された色空間をＣＭＹＫ形式の色空間に変換する。
【００５９】
これにより、レンダリングエンジン５１は、ＣＭＹＫの８ビットの第１有色版データ、および８ビットの第１光沢制御版データを生成し、ｓｉ１部５２へ出力する。なお、ＣＭＹＫの８ビットの第１有色版データ、及び８ビットの第１光沢制御版データは、各画素の画素値を８ビットで表した画像データである。
【００６０】
すなわち、レンダリングエンジン５１は、ホスト装置１０から受け付けた第１光沢制御版データを、ユーザによって定められた描画オブジェクトに対する表面効果の種類を画素ごとに濃度値として設定した、８ビットの第１光沢制御版データに変換する。また、レンダリングエンジン５１は、ホスト装置１０から受け付けた印刷データに含まれる種別情報についても、ｓｉ１部５２へ出力する。
【００６１】
ｓｉ１部５２は、ＣＭＹＫの８ビットの第１有色版データと、種別情報と、をＴＲＣ５３に出力する。また、ｓｉ１部５２は、８ビットの第１光沢制御版データと、種別情報と、をクリアプロセッシング５６に出力する。
【００６２】
ＴＲＣ５３は、ｓｉ１部５２からＣＭＹＫの８ビットの第１有色版データを受け付ける。ＴＲＣ５３は、ＣＭＹＫの８ビットの第１有色版データに対して、キャリブレーションにより生成された１Ｄ＿ＬＵＴのガンマカーブでガンマ補正などの画像処理を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの第１有色版データを制限する処理である。ＴＲＣ５３は、クリアプロセッシング５６から総量規制値を受け付け、各画素に付与される色材（本実施の形態ではトナー）の総量が、受け付けた総量規制値以下となるように、ＣＭＹＫ各８ビットの第１有色版データを制限する。
【００６３】
ｓｉ２部５４は、ＴＲＣ５３でガンマ補正されたＣＭＹＫの８ビットの第１有色版データを、インバースマスク（後述する）を生成するためのデータとしてクリアプロセッシング５６へ出力する。また、ｓｉ２部５４は、ガンマ補正されたＣＭＹＫの８ビットの有色版データと、種別情報と、をハーフトーンエンジン５５へ出力する。
【００６４】
ハーフトーンエンジン５５は、ｓｉ２部５４から、ガンマ補正後のＣＭＹＫの８ビットの第１有色版データと、種別情報と、を受け付ける。
【００６５】
ハーフトーンエンジン５５は、受け付けた種別情報が通常印刷を示す場合、ｓｉ２部５４から受け付けたＣＭＹＫの８ビットの第１有色版データを、プリンタ機７０に出力するための有色色材版データに変換する。
【００６６】
例えば、ハーフトーンエンジン５５は、受け付けた種別情報が通常印刷を示す場合、ガンマ補正後のＣＭＹＫの８ビットの第１有色版データについて、ハーフトーン処理を行い、各画素の画素値を２ビットで表した、ＣＭＹＫの２ビットの有色色材版データのデータ形式に変換する。なお、２ビットは一例であり、これに限定されるものではない。そして、ハーフトーンエンジン５５は、ＣＭＹＫの２ビットの有色色材版データをｓｉ３部５７へ出力する。
【００６７】
有色色材版データは、印刷装置３０において有色トナー（有色色材）を記録媒体に付着させるためのデータであり、印刷装置３０（本実施の形態では、プリンタ機７０）で解釈可能なデータ形式で記述された、有色画像を形成するためのデータである。
【００６８】
一方、ハーフトーンエンジン５５は、受け付けた種別情報がテスト印刷を示す場合、クリアプロセッシング５６から受け付けた、ＣＮＹＫの８ビットの第１有色版データ（詳細後述）を、有色色材版データに変換する。そして、ハーフトーンエンジン５５は、変換した、ＣＭＹＫの２ビットの有色色材版データを、ｓｉ３部５７へ出力する。
【００６９】
一方、クリアプロセッシング５６は、ｓｉ１部５２から、８ビットの第１光沢制御版データと、種別情報と、を受け付ける。また、クリアプロセッシング５６は、ｓｉ２部５４から、ガンマ補正された、ＣＭＹＫの８ビットの第１有色版データを受け付ける。
【００７０】
クリアプロセッシング５６は、８ビットの第１光沢制御版のデータと、ガンマ補正されたＣＭＹＫの８ビットの第１有色版データと、を用いて、特色色材版データを生成する。特色色材版データは、印刷装置３０側において、特色トナー（特色色材）を付着させるためのデータである。クリアプロセッシング５６の詳細は後述する。また、クリアプロセッシング５６は、グロッサ８０に対するオンまたはオフを示すオンオフ情報も生成する。
【００７１】
そして、クリアプロセッシング５６は、生成した２ビットの特色色材版データと、グロッサ８０に対するオンオフ情報と、を、ｓｉ３部５７へ出力する。ｓｉ３部５７は、ハーフトーンエンジン５５から受け付けた、ＣＭＹＫの２ビットの有色色材版データと、クリアプロセッシング５６から受け付けた２ビットの特色色材版データと、グロッサ８０に対するオンオフ情報と、を含む出力データを、ＭＩＣ６０（図１参照）を介して印刷装置３０へ出力する。
【００７２】
図１に戻り、ＭＩＣ６０は、出力データを、印刷装置３０へ出力する。図９は、ＭＩＣ６０と印刷装置３０とを示す模式図である。
【００７３】
ＭＩＣ６０は、受け付けた出力データに含まれる、有色色材版データ、特色色材版データ（実際には、プリンタ機７０用の特色色材版データ、低温定着機９０用の特色色材版データ）を、対応するプリンタ機７０、低温定着機９０に振り分ける。また、ＭＩＣ６０は、出力データに含まれるオンオフ情報に応じて、グロッサ８０をオンまたはオフに制御する。
【００７４】
プリンタ機７０、グロッサ８０、低温定着機９０からなる印刷装置３０は、記録媒体を搬送する搬送路を備える。プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機９０の設けられている位置を、この順に搬送される。そして、これらの機器によって順次処理が行われて画像形成及び表面効果が付与された後に、図示を省略する搬送機構によって搬送路を搬送されて、印刷装置３０の外部へと排出される。
【００７５】
次に、クリアプロセッシング５６について、詳細を説明する。
【００７６】
図１０は、クリアプロセッシング５６の機能ブロック図である。クリアプロセッシング５６は、取得部５６Ａと、判別部５６Ｂと、分析部５６Ｃと、記憶部５６Ｄと、切替制御部５６Ｅと、読取部５６Ｋと、受付部５６Ｍと、第１生成部５６Ｐと、第２生成部５６Ｇと、を備える。分析部５６Ｃは、算出部５６Ｈと、第１更新部５６Ｉと、第２更新部５６Ｊと、を含む。
【００７７】
なお、取得部５６Ａ、判別部５６Ｂ、分析部５６Ｃ、記憶部５６Ｄ、切替制御部５６Ｅ、第２生成部５６Ｇ、算出部５６Ｈ、第１更新部５６Ｉ、第２更新部５６Ｊ、読取部５６Ｋ、受付部５６Ｍ、および、第１生成部５６Ｐの一部またはすべては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００７８】
取得部５６Ａは、種別情報と、第１光沢制御版データと、第１有色版データと、をｓｉ１部５２およびｓｉ２部５４から取得する。
【００７９】
詳細には、取得部５６Ａは、８ビットの第１光沢制御版データと、ガンマ補正されたＣＭＹＫの８ビットの第１有色版データと、種別情報と、を含む印刷データを取得する。
【００８０】
８ビットの第１光沢制御版データは、上述したように、記録媒体に対する視覚的または触覚的な効果である表面効果の種類と、表面効果を付与する記録媒体における光沢領域と、を特定するための濃度値の定められた画像データである。種別情報は、通常印刷またはテスト印刷を示す。
【００８１】
そして、取得部５６Ａは、これらのデータ（８ビットの第１光沢制御版データ、８ビットのＣＭＹＫの第１有色版データ、種別情報）を、記憶部５６Ｄに記憶する。
【００８２】
記憶部５６Ｄは、各種データを記憶する。本実施の形態では、記憶部５６Ｄは、表面効果選択テーブルを予め記憶する。また、記憶部５６Ｄは、履歴情報を記憶する。履歴情報は、図１２を用いて後述する。
【００８３】
なお、インターネット等のネットワーク上のストレージサーバ（クラウド）や、外部の記憶媒体や記憶装置などの各種記憶媒体に、表面効果選択テーブルや履歴情報を記憶してもよい。この場合、クリアプロセッシング５６は、これらの記憶媒体から、表面効果選択テーブルおよび履歴情報の読取や更新などを行えばよい。これにより、これらの情報（表面効果選択テーブルや履歴情報）を複数の画像形成装置間で共有することができる。
【００８４】
表面効果選択テーブルは、記録媒体に対する視覚的または触覚的な効果である表面効果を示す濃度値と、表面効果の種類と、表面効果の種類に関連する他の表面効果としての紐付効果の種類と、を対応づけた情報である。
【００８５】
なお、表面効果選択テーブルは、これらのデータを対応づけたものであればよく、そのデータ形式はテーブルに限定されない。例えば、表面効果選択テーブルは、これらのデータを対応づけたデータベースであってもよい。
【００８６】
図１１は、表面効果選択テーブルのデータ形式の一例を示す図である。
【００８７】
図１１に示すように、表面効果選択テーブルは、本実施の形態では、濃度値と、表面効果の種類と、オンオフ情報と、規定内容と、紐付効果の種類と、を対応付けたデータである。
【００８８】
規定内容とは、印刷装置３０が特色トナーを用いて形成する画像の種類を示す情報である。規定内容は、例えば、ハーフトーン０％、１２％〜１００％などの網点画像を示す情報、タイル文字列を示す情報、タイル地紋を示す情報、タイル網模様を示す情報、ベタ画像を示す情報、などである。なお、規定内容は、これらに限定されない。
【００８９】
印刷装置３０では、特色色材版データに定められた規定内容に応じて、特色トナーを付与する。これによって、規定内容によって示される種類の画像（特色トナーによる画像）を記録媒体に形成する。
【００９０】
なお、図１１に示す例では、特色色材版データの規定内容として、プリンタ機７０で用いる特色色材版データ（クリアトナー版１参照）の規定内容と、低温定着機９０で用いる特色色材版データ（クリアトナー版２参照）の規定内容と、を含む場合を説明する。
【００９１】
表面効果選択テーブルに定められた濃度値は、上述した第１光沢制御版データに定められた濃度値と同様に、表面効果を示す。
【００９２】
図１１に示す例では、濃度値として、濃度値を８ビットで表される数値（０〜２５５）で表した時の画素値「６」毎の数値範囲と、各数値範囲の代表値と、代表値を０〜１００％のパーセント単位で表した値と、を示している。なお、パーセント単位で表した値は、濃度値「０」を「０％」とし、濃度値２５５を１００％としたときの、値である。
【００９３】
詳細には、図１１に示す例では、表面効果選択テーブルには、８ビットで表される濃度値（０〜２５５）の範囲毎（６ごと）に表面効果の各種類が対応付けられている。また、各濃度値の範囲の代表値から換算される濃度値の割合に対して、２％単位で表面効果の各種類が対応付けられている。濃度値をパーセント単位で示した値（光沢制御率とする）が８４％以上となる濃度値の範囲（「２１２」〜「２５５」）に対して、光沢を与える表面効果（鏡面光沢及びベタ光沢）が対応付けられており、光沢制御率が１６％以下となる濃度値の範囲（「１」〜「４３」）に対して光沢を抑える表面効果（網点マット及びつや消し）が対応付けられている。また、光沢制御率が２０％〜８０％となる濃度値の範囲には、テクスチャや地紋透かしなどの表面効果が対応付けられている。
【００９４】
より具体的には、例えば、「２３８」〜「２５５」の画素値に対しては表面効果として鏡面光沢（ＰＭ）が対応付けられており、このうち、「２３８」〜「２４２」の濃度値、「２４３」〜「２４７」の濃度値、および「２４８」〜「２５５」の濃度値の３つの範囲に対して各々異なるタイプの鏡面光沢が対応付けられている。また、「２１２」〜「２３２」の濃度値に対しては、ベタ光沢（Ｇ）が対応付けられており、このうち、「２１２」〜「２１６」の濃度値、「２１７」〜「２２１」の濃度値、「２２２」〜「２２７」の濃度値、および「２２８」〜「２３２」の濃度値の４つの範囲に対して各々異なるタイプのベタ光沢が対応付けられている。また、「２３」〜「４３」の濃度値に対しては、網点マット（Ｍ）が対応付けられており、このうち、「２３」〜「２８」の濃度値、「２９」〜「３３」の濃度値、「３４」〜「３８」の濃度値および「３９」〜「４３」の濃度値の４つの範囲に対して各々異なるタイプの網点マットが対応付けられている。また、「１」〜「１７」の濃度値に対しては、つや消し（ＰＭ）が対応付けられており、このうち、「１」〜「７」の濃度値、「８」〜「１２」の濃度値および「１３」〜「１７」の濃度値の３つの範囲に対して各々異なるタイプのつや消しが対応付けられている。これらの同一の表面効果の異なるタイプはプリンタ機７０や低温定着機９０で使用する特色色材版データを求める式に違いがあり、印刷装置３０の動作は同じである。なお、「０」の濃度値には、表面効果を与えないことが対応付けられている。
【００９５】
また、図１１に示す例は、表面効果選択テーブルには、濃度値および表面効果の種類に対応して、グロッサ８０のオン又はオフを示すオンオフ情報と、プリンタ機７０で用いる特色色材版データ（クリアトナー版１）の規定内容と、低温定着機９０で用いる特色色材版データ（クリアトナー版２）の規定内容と、が各々示されている。
【００９６】
例えば、表面効果の種類が鏡面光沢である場合、グロッサ８０をオンにすることが示されると共に、プリンタ機７０で用いる特色色材版データは、インバースマスクを表すものであり、低温定着機９０で用いる特色色材版データは、ないことが示されている。インバースマスクは、例えば、後述する式（１）により求められる。
【００９７】
ここで、インバースマスクとは、表面効果を与える対象の領域を構成する各画素上のＣＭＹＫの有色トナー及び特色トナーを合わせた総付着量が均一になるようにするためのものである。具体的には、ＣＭＹＫの８ビットの第１有色版データにおいて、対象領域を構成する画素の表す濃度値を全て加算し、その加算値を所定値から差し引いた画像データがインバースマスクとなる。
【００９８】
例えば、インバースマスクは以下の式（１）で表される。
【００９９】
Ｃｌｒ＝１００−（Ｃ＋Ｍ＋Ｙ＋Ｋ）                      ・・・式（１)
但し、Ｃｌｒ＜０となる場合、Ｃｌｒ＝０    
【０１００】
式（１）において、Ｃｌｒ，Ｃ，Ｍ，Ｙ，Ｋは、特色トナー及びＣ，Ｍ，Ｙ，Ｋの各有色トナーのそれぞれについて、各画素における濃度値から換算される濃度率を表すものである。
【０１０１】
すなわち、式（１）によって、Ｃ，Ｍ，Ｙ，Ｋの各有色トナーの総付着量に特色トナーの付着量を加えた総付着量を、表面効果を与える対象の領域を構成する全ての画素について１００％にする。なお、Ｃ，Ｍ，Ｙ，Ｋの各有色トナーの総付着量が１００％以上である場合には、特色トナーは付着させずに、その濃度率は０％にする。これは、Ｃ，Ｍ，Ｙ，Ｋの各有色トナーの総付着量が１００％を超えている部分は定着処理により平滑化されるためである。このように、表面効果を与える対象の光沢領域を構成する全ての画素上の総付着量を１００％以上にすることで、当該対象の領域においてトナーの総付着量の差による表面の凸凹がなくなり、この結果、光の正反射による光沢が生じるのである。ただし、インバースマスクには、式（１）以外により求められるものがあり、インバースマスクの種類は複数有り得る。
【０１０２】
例えば、インバースマスクは、各画素に特色トナーを均一に付着させるものであってもよい。この場合のインバースマスクは、ベタマスクともいい、以下の式（２）で表される。
【０１０３】
Ｃｌｒ＝１００・・・式（２)
【０１０４】
式（２）、後述する式（３）、および式（４）において、Ｃｌｒは、特色トナーについて、各画素における濃度値から換算される濃度率を表すものである。
【０１０５】
なお、表面効果を与える対象の画素の中でも、１００％以外の濃度率が対応付けられるものがあるようにしても良く、ベタマスクのパターンは複数有り得る。
【０１０６】
また、例えばインバースマスクは、各色の地肌露出率の乗算により求められるものであってもよい。この場合のインバースマスクは、例えば以下の式（３）で表される。
【０１０７】
Ｃｌｒ＝１００×｛（１００−Ｃ）／１００｝×｛（１００−Ｍ）／１００｝×｛（１００−Ｙ）／１００｝×｛（１００−Ｋ）／１００｝・・・式（３)
【０１０８】
上記式（３）において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０１０９】
また、例えばインバースマスクは、最大面積率の網点が平滑性を律すると仮定した方法により求められるものであってもよい。この場合のインバースマスクは、例えば以下の式（４）で表される。
【０１１０】
Ｃｌｒ＝１００−ｍａｘ（Ｃ，Ｍ，Ｙ，Ｋ）・・・式（４）
【０１１１】
上記式（４）において、ｍａｘ（Ｃ，Ｍ，Ｙ，Ｋ）は、ＣＭＹＫのうち最大の濃度値を示す色の濃度値が代表値となることを示す。
【０１１２】
すなわち、インバースマスクは、上記式（１）〜式（４）の何れかの式により表されるものであればよい。
【０１１３】
図１１に戻り、また、濃度値が「２２８」〜「２３２」であり表面効果の種類がベタ光沢である場合、グロッサ８０をオフにすることが示されると共に、プリンタ機７０で用いる特色色材版データ（クリアトナー版１）は、インバースマスク１であり、低温定着機９０で用いる特色色材版データ（クリアトナー版２）は、ないことが示されている。
【０１１４】
なお、インバースマスク１は、上記式（１）〜式（４）の何れかの式により表されるものであればよい。グロッサ８０がオフなので平滑化されるトナーの総付着量が異なるため、鏡面光沢により表面の凹凸が増え、その結果、鏡面光沢により光沢度が低いベタ光沢が得られるためである。また、表面効果の種類が網点マットである場合、グロッサ８０をオフにすることが示されていると共に、プリンタ機７０で用いる特色色材版データ（クリアトナー版１）は、ハーフトーン（網点）を表すものであり、低温定着機９０で用いる特色色材版データ（クリアトナー版２）は、ないことが示されている。また、表面効果の種類がつや消しである場合、グロッサ８０をオン又はオフのいずれにしても良いことが示されていると共に、プリンタ機７０で用いる特色色材版データ（クリアトナー版１）は、なく、低温定着機９０で用いる特色色材版データ（クリアトナー版２）は、ベタマスクを表すものであることが示されている。当該ベタマスクは、例えば上述の式（２）により求められる。
【０１１５】
また、本実施の形態では、表面効果選択テーブルには、上述したように、対応する表面効果の種類に関連する他の表面効果としての紐付効果の種類が、表面効果の種類の各々に対応づけて登録されている。
【０１１６】
図１１に示す例では、一例として、各種類の表面効果に対して、１〜３種類の紐付効果が対応づけられている。なお、各種類の表面効果には、４種類以上の紐付効果を対応づけてもよく、３種類以下に限定されない。また、表面効果選択テーブルに登録されている、全ての表面効果の種類の各々に対して、少なくとも１つ以上の紐付効果の種類が対応づけられた形態に限定されない。すなわち、表面効果選択テーブルには、紐付効果の種類の対応づけられていない表面効果の種類が含まれていてもよい。
【０１１７】
各紐付効果の種類は、対応する表面効果の種類に類似する表面効果であってもよいし、非類似の表面効果であってもよい。なお、これらの紐付効果の種類は、後述する分析部５６Ｃ（第２更新部５６Ｊ）によって更新される（詳細後述）。
【０１１８】
次に、履歴情報について説明する。
【０１１９】
図１２は、履歴情報のデータ形式の一例を示す図である。図１２に示すように、履歴情報は、表面効果の種類と、分析情報と、を対応づけた情報である。この履歴情報は、後述する分析部５６Ｃ（第１更新部５６Ｉ）によって更新される。
【０１２０】
履歴情報に示される表面効果の種類は、第１光沢制御版データによって規定された表面効果の種類である。
【０１２１】
分析情報は、表面効果の使用状況の分析結果を示す情報である。分析情報は、分析内容を示す複数の分析項目を含む。本実施の形態では、分析情報は、使用回数と、平均面積と、を含む場合を説明する。なお、分析情報は、表面効果の使用状況の分析結果を示す情報であればよく、使用回数および平均面積に限定されない。
【０１２２】
使用回数は、第１光沢制御版データにおける表面効果の種類の使用回数を示す。使用回数は、第１光沢制御版データにおける、同じ種類の表面効果の規定された連続する領域を１つ（使用回数１回）として計算することで、計算された値である。平均面積は、使用回数１回あたりの、対応する種類の表面効果の光沢領域の平均面積を示す。
【０１２３】
なお、履歴情報は、クリアプロセッシング５６で過去に取得した出力データに含まれる第１光沢制御版データにおける分析情報を定めたものであってもよいし、予め定めた期間（例えば、現時点から直前の１ヶ月間）にクリアプロセッシング５６で取得した出力データに含まれる第１光沢制御版データにおける分析情報を定めたものであってもよい。
【０１２４】
図１０に戻り、判別部５６Ｂは、取得部５６Ａで取得した印刷データに含まれる種別情報が、通常印刷を示すか、テスト印刷を示すか、を判別する。
【０１２５】
分析部５６Ｃは、取得部５６Ａで取得した印刷データに含まれる第１光沢制御版データの分析や、履歴情報の分析などを行い、表面効果選択テーブルを更新する。
【０１２６】
具体的には、分析部５６Ｃは、算出部５６Ｈと、第１更新部５６Ｉと、第２更新部５６Ｊと、を備える。
【０１２７】
算出部５６Ｈは、取得部５６Ａで取得した印刷データに含まれる種別情報が通常印刷を示す場合に、第１光沢制御版データにおける分析情報を算出する。本実施の形態では、算出部５６Ｈは、分析情報として、第１光沢制御版データにおける表面効果の種類の使用回数と、第１光沢制御版データにおける表面効果の種類に対応する光沢領域の面積と、を算出する。
【０１２８】
詳細には、算出部５６Ｈは、取得部５６Ａで取得した第１光沢制御版データから、履歴情報の更新に用いる分析情報を算出する。まず、算出部５６Ｈは、取得部５６Ａで取得した第１光沢制御版データに規定された、各画素の濃度値に対応する表面効果の種類を、表面効果選択テーブルから読取る。そして、算出部５６Ｈは、同じ表面効果の種類（すなわち、同じ表面効果の種類に対応する濃度値）の連続して配置された画素群を、１つの光沢領域としてカウントすることで、第１光沢制御版データに含まれる各種類の表面効果の数を、算出する。さらに、算出部５６Ｈは、算出した、第１光沢制御版データに含まれる各種類の表面効果の数を、各表面効果の種類の使用回数として算出する。
【０１２９】
次に、算出部５６Ｈは、第１光沢制御版データに含まれる、各表面効果の種類に対応する光沢領域の面積を算出する。算出部５６Ｈは、例えば、第１光沢制御版データに含まれる、同じ表面効果の種類を構成する画素の数をカウントすることで、各表面効果の種類に対応する光沢領域の面積を算出する。
【０１３０】
第１更新部５６Ｉは、算出部５６Ｈによる算出結果に応じて、履歴情報を更新する。
【０１３１】
本実施の形態では、第１更新部５６Ｉは、算出部５６Ｈによって算出された、第１光沢制御版データにおける表面効果の種類の使用回数と、表面効果の種類に対応する光沢領域の面積と、を受け付ける。
【０１３２】
なお、履歴情報は、分析情報として、使用回数と、平均面積と、対応する光沢領域の面積の累積値と、を対応づけて記憶しているものとする。
【０１３３】
そして、第１更新部５６Ｉは、履歴情報における、各表面効果の種類の使用回数に、算出部５６Ｈによって算出された表面効果の種類の使用回数を加算した加算値を、履歴情報に登録する。これによって、第１更新部５６Ｉは、履歴情報における、使用回数を更新する。
【０１３４】
また、第１更新部５６Ｉは、履歴情報における、各表面効果の種類に対応する、光沢領域の面積の累積値に、算出部５６Ｈによって算出された表面効果の種類に対応する光沢領域の面積を加算した加算値（面積加算値とする）を算出する。そして、第１更新部５６Ｉは、この面積加算値を、対応する表面効果の種類の使用回数で除算した値を、平均面積として算出する。そして、第１更新部５６Ｉは、算出した平均面積を、履歴情報における、対応する表面効果の種類に対応づけて登録することで、履歴情報における平均面積を更新する。
【０１３５】
なお、第１更新部５６Ｉは、ユーザによって予め定めた期間毎（例えば、１週間ごと、１ヶ月ごと、半年ごと、など）に、履歴情報に登録されている使用回数、平均面積、および光沢領域の面積の累積値をリセットしてもよい（値を「０」とする）。この場合、履歴情報は、予め定めた期間毎の第１光沢制御版データの分析結果の履歴を示す情報となる。
【０１３６】
また、第１更新部５６Ｉは、取得部５６Ａが印刷データを取得する度に、履歴情報に登録されている使用回数、平均面積、および光沢領域の面積の累積値をリセットしてもよい。この場合、履歴情報は、印刷データごとの第１光沢制御版データの分析結果の履歴を示す情報となる。
【０１３７】
また、履歴情報に登録される分析情報は、一定期間経過した古い情報から順に削除するように設定してもよい。この設定についても、ユーザによって変更可能である。
【０１３８】
第２更新部５６Ｊは、第１更新部５６Ｉによって更新された履歴情報に応じて、表面効果の種類の各々に紐付すべき他の表面効果の種類を選択し、選択した他の表面効果の種類を、該表面効果の種類の各々に対応する紐付効果の種類として登録することで、表面効果選択テーブルを更新する。
【０１３９】
例えば、第２更新部５６Ｊは、履歴情報に応じて、表面効果の種類の各々に類似または非類似の他の表面効果の種類を選択する。“類似する”とは、分析情報によって示される値が、一致または閾値未満の差であることを示す。また、“非類似”とは、分析情報によって示される値が不一致で且つ閾値以上差があることを示す。閾値は、分析情報に含まれる情報の種類（例えば、使用回数、平均面積）に応じて、予め定めればよい。
【０１４０】
なお、第２更新部５６Ｊは、履歴情報に応じて、表面効果の種類の各々に類似（例えば、最も類似）、および、非類似（例えば、最も非類似）の他の表面効果の種類の各々を、選択してもよい。
【０１４１】
そして、第２更新部５６Ｊは、選択した他の表面効果の種類を、表面効果の種類の各々に対応する紐付効果の種類として登録することで、表面効果選択テーブルを更新する。なお、類似、非類似、または類似と非類似の双方、の何れの他の表面効果の種類を選択するかは、例えば、予めユーザによる入力部５８（図８参照）の操作指示によって設定しておけばよい。これによって、紐付け効果を自動生成する際に、どこまでの使用履歴を活用するかをユーザが決めることができる。そして、第２更新部５６Ｊは、設定内容（類似、非類似、または、類似と非類似の双方）に応じて、表面効果の種類の各々に類似、非類似、または、類似と非類似の双方の、他の表面効果の種類を選択すればよい。また、ユーザによる入力部５８の操作指示によって、紐付効果を自動生成する際に用いる、使用履歴の範囲（期間（例えば、直近１ヶ月分の情報を用いるなど））を予め設定しておけばよい。この場合、第２更新部５６Ｊは、使用履歴における、ユーザによって指定された範囲を活用して、紐付け効果を自動生成することができる。
【０１４２】
図１３は、第２更新部５６Ｊによる、各表面効果の種類の各々に紐付すべき他の表面効果の種類の選択方法の一例を示す図である。図１３には、図１２に示す履歴情報を、クラスター分析により分析することで、紐付すべき他の表面効果の種類を選択する手法の一例を示した。
【０１４３】
例えば、第２更新部５６Ｊは、履歴情報（図１２参照）に示される、各表面効果の種類ごとの、使用回数および平均面積を用いて、クラスター分析を行う。クラスター分析とは、異なる性質のデータが混ざりあった対象の中から、互いに類似するものを集めてクラスターを作り、対象を分類する方法である。クラスター分析には、公知の方法を用いればよい。クラスター分析により、第２更新部５６Ｊは、各表面効果の種類を、対応する分析情報の類似度の高いものをまとめたクラスターごとに分類する。
【０１４４】
例えば、本実施の形態では、第２更新部５６Ｊは、使用回数および平均面積の双方の値が一致または閾値未満の差である表面効果の種類を、類似する表面効果の種類として分類する。
【０１４５】
例えば、図１３に示す例では、表面効果の種類“透かし文字１（見本）”と、表面効果の種類“透かし文字３（ＸＸＸ）”と、は、分析情報が一致する。この場合、第２更新部５６Ｊは、表面効果の種類“透かし文字１（見本）”と、表面効果の種類“透かし文字３（ＸＸＸ）”と、を分析情報の類似度の高いクラスターに分類する。
【０１４６】
一方、表面効果の種類“透かし文字１（見本）”と、“地紋パターン１（波）”と、は、平均面積に１０倍以上の差がある。この場合、第２更新部５６Ｊは、表面効果の種類“透かし文字１（見本）”と、“地紋パターン１（波）”と、を非類似の（類似度の低い）クラスターに分類する。
【０１４７】
このように、第２更新部５６Ｊは、表面効果の種類を類似度ごとにグループ分けして分類することで、各表面効果の種類に紐付すべき他の表面効果の種類を選択する。
【０１４８】
なお、第２更新部５６Ｊは、上述したように、各表面効果の種類を、使われ方の類似度の低いものをまとめた（非類似のものをまとめた）クラスターごとに分類し、非類似の他の表面効果の種類を、紐付すべき表面効果の種類として選択してもよい。
【０１４９】
また、第２更新部５６Ｊは、各表面効果の種類に対応する紐付効果の種類として、少なくとも１つの他の表面効果の種類を選択すればよい。
【０１５０】
そして、第２更新部５６Ｊは、各表面効果の種類ごとに選択した他の表面効果の種類を、紐付効果の種類として、表面効果選択テーブルに登録することで、表面効果選択テーブルを更新する。
【０１５１】
このため、第２更新部５６Ｊは、最新の履歴情報に示される、分析情報に応じて、表面効果選択テーブルにおける、各表面効果の種類に対応する紐付効果の種類を更新する。
【０１５２】
なお、第２更新部５６Ｊによる更新のタイミングは、ユーザによる入力部５８の操作指示により適宜変更可能である。例えば、更新タイミングとして、印刷データ単位（ジョブ単位と称する場合もある）を設定することで、第２更新部５６Ｊは、取得部５６Ａで印刷データを取得する度に、上記更新処理を実行すればよい。また、更新タイミングとして、所定の期間（例えば、１週間、１ヶ月、など）を設定した場合、第２更新部５６Ｊは、所定の期間ごとに、更新処理を実行すればよい。なお、本実施の形態では、第２更新部５６Ｊは、一例として、取得部５６Ａが印刷データを取得する度に、更新処理を実行する場合を説明する。
【０１５３】
なお、第２更新部５６Ｊは、ユーザによる入力部５８の操作指示により、表面効果選択テーブルに登録されている紐付効果の種類の少なくとも一部の変更、または、新たな紐付効果の種類の登録を行っても良い。このため、ユーザは、履歴情報に応じて第２更新部５６Ｊが更新した紐付効果の種類を変更したい場合などに、適宜、表面効果選択テーブルに登録された紐付効果の種類を変更することができる。
【０１５４】
図１０に戻り、読取部５６Ｋは、判別部５６Ｂによって種別情報がテスト印刷を示すと判別された場合に、該印刷データに含まれる第１光沢制御版データに定められた濃度値に対応する表面効果の種類、および、該濃度値に対応する紐付効果の種類を、表面効果選択テーブルから読取る。
【０１５５】
上述したように、表面効果選択テーブルには、濃度値と、表面効果の種類と、オンオフ情報と、特色色材版データの規定内容と、紐付効果の種類と、が対応づけられている（図１１参照）。
【０１５６】
このため、読取部５６Ｋは、第１光沢制御版データによって規定された濃度値に対応する、表面効果の種類、および紐付効果の種類を、表面効果選択テーブルから読取る。
【０１５７】
受付部５６Ｍは、判別部５６Ｂによって種別情報がテスト印刷を示すと判別された場合に、表面効果を与える光沢領域と、紐付効果を与える紐付領域と、の各々の記録媒体への印刷設定を示す設定情報の指定を受け付ける。受付部５６Ｍは、ユーザによる入力部５８（図８参照）の操作指示によって入力された設定情報の指定を、入力部５８から受け付ける。
【０１５８】
設定情報は、光沢領域や紐付領域の、記録媒体への印刷に関する各種印刷設定を含む。印刷設定は、例えば、第１光沢制御版データによって規定される表面効果の種類に応じた光沢領域と、該表面効果の種類に対応する紐付効果の種類に応じた紐付領域と、を記録媒体にどのように印刷するかを示す情報である。
【０１５９】
設定情報は、例えば、第１設定、第２設定、第３設定、第４設定、第５設定、および、第６設定、などを含む。
【０１６０】
第１設定は、重複領域の抽出を示す情報である。具体的には、第１設定は、第１有色版データによって規定される有色画像における、該有色画像と、第１光沢制御版データによって示される光沢領域と、の重複領域の抽出を示す情報である。
【０１６１】
第２設定は、印刷速度を示す情報である。第２設定は、印刷速度として、画質優先、または、速度優先、の何れか一方を示す場合と、画質優先および速度優先の双方を示す場合と、がある。
【０１６２】
第３設定は、光沢領域と紐付領域とを、設定された枚数の記録媒体に印刷することを示す情報である。何枚の記録媒体に印刷するかは、ユーザによる入力部５８の操作指示によって、適宜設定可能である。
【０１６３】
第４設定は、配置変更を示し、第１光沢制御版データに規定された表面効果の種類に応じた光沢領域、および該表面効果の種類に対応する紐付効果の紐付領域を、第３設定で設定された枚数のページ内に収まるように再配置することを示す情報である。
【０１６４】
第５設定は、集約を示し、複数ページからなる第１光沢制御版データによって規定された表面効果の種類の光沢領域、および該表面効果の種類に対応する種類の紐付効果の紐付領域を、第３設定で設定された枚数のページに集約することを示す情報である。
【０１６５】
第６設定は、光沢領域および紐付領域の各々を予め定めた形状で配置することを示す情報である。
【０１６６】
ユーザは、入力部５８を操作することで、これらの第１設定、第２設定、第３設定、第４設定、第５設定、および、第６設定の少なくとも１つを含む設定情報を入力する。
【０１６７】
例えば、記憶部５６Ｄは、第１設定〜第６設定のオンオフ情報を組み合わせた印刷設定テーブルを予め記憶する。
【０１６８】
図１４は、印刷設定テーブルの一例を示す図である。印刷設定テーブルは、印刷設定の識別情報と、設定情報と、を対応づけた情報である。なお、印刷設定テーブルは、これらの情報を対応づけた情報であればよく、データ形式はテーブルに限定されない。例えば、印刷設定テーブルは、データベースであってもよい。
【０１６９】
識別情報は、対応する設定情報によって示される、第１設定〜第６設定のオンオフ情報の組合せを一意に識別する情報である。また、印刷設定テーブルは、設定情報として、第１設定〜第６設定の各々のオンオフ情報を記憶する。
【０１７０】
第１設定〜第６設定の各々について、対応するオンオフ情報が、「Ｏｎ（オン）」である場合、設定情報は、対応する第１設定〜第６設定を含む。一方、第１設定〜第６設定の各々について、対応するオンオフ情報が「Ｏｆｆ（オフ）」である場合、設定情報は、対応する第１設定〜第６設定を含まない。なお、印刷速度を示す第２設定については、対応するオンオフ情報が「Ｏｎ（オン）」である場合、画質優先と速度優先の双方を示す。また、第２設定に対応するオンオフ情報が「Ｏｆｆ（オフ）」である場合、画質優先または速度優先の何れか一方を示す。本実施の形態では、第２設定に対応するオンオフ情報が「Ｏｆｆ（オフ）」である場合、一例として、速度優先を示すものとして説明する。
【０１７１】
例えば、クリアプロセッシング５６は、表示部５９（図８参照）に、図１４に示す印刷設定テーブルを表示すると共に、ユーザに対して何れかの識別情報の入力を促す文字情報を表示する。ユーザは、入力部５８を操作することで、表示された印刷設定テーブルにおける、何れかの識別情報を選択することで、設定情報を入力する。
【０１７２】
例えば、ユーザによる入力部５８の操作指示によって、識別情報「４−１」が選択された場合、クリアプロセッシング５６の受付部５６Ｍ（図１０参照）は、印刷設定テーブルにおける、識別情報「４−１」に対応する設定情報として、オンオフ情報が「Ｏｎ（オン）」である、第３設定(枚数指定)と、第４設定情報（配置変更）と、を受け付ける。
【０１７３】
なお、ユーザは、入力部５８の操作指示によって、第１設定〜第６設定の内、任意の設定情報を選択することで、設定情報を入力してもよい。すなわち、図１４に示す印刷設定テーブルに登録されている、設定情報（第１設定〜第６設定）のオンオフ情報の組合せは一例であり、任意の組合せを設定可能である。
【０１７４】
また、ユーザは、入力部５８の操作指示によって、印刷設定テーブルに設定されている組合せ以外の、第１設定〜第６設定を選択することで、設定情報を入力してもよい。これにより、ユーザの望む印刷方法で、表面効果を容易に確認することができる。
【０１７５】
図１０に戻り、第１生成部５６Ｐは、判別部５６Ｂによって種別情報がテスト印刷を示すと判別された場合に、第２光沢制御版データを生成する。
【０１７６】
第２光沢制御版データは、第１光沢制御版データに定められた表面効果の種類および光沢領域と、該表面効果の種類に対応する読取った紐付効果の種類および紐付効果を付与する紐付領域と、の各々を規定したものである。言い換えると、第２光沢制御版データは、第１光沢制御版データに定められた表面効果の種類および該表面効果を与える光沢領域と、第１光沢制御版データに定められた表面効果の種類に対応する紐付効果の種類および紐付領域と、の双方を規定したものである。
【０１７７】
具体的には、第１生成部５６Ｐは、第１光沢制御版データに定められた表面効果の種類および該表面効果を与える光沢領域を規定するための濃度値（第１濃度値と称する場合がある）と、該表面効果の種類に対応する紐付効果の種類および該紐付効果を付与する紐付領域を規定するための濃度値（第２濃度値と称する場合がある）と、を定めた第２光沢制御版データを生成する。
【０１７８】
第１生成部５６Ｐは、第２濃度値（紐付領域の濃度値）を、例えば、以下のようにして取得する。第１生成部５６Ｐは、まず、読取部５６Ｋで読取った紐付効果の種類と同じ名称の表面効果の種類を、表面効果選択テーブル（図１１参照）から読取る。そして、該表面効果選択テーブルにおける、読取った表面効果の種類に対応する濃度値を、該紐付効果の種類および紐付領域を規定するための第２濃度値として用いる。
【０１７９】
このため、第２光沢制御版データは、画素毎に、表面効果の種類及び光沢領域を規定するための第１濃度値と、紐付効果の種類および紐付領域を規定するための第２濃度値と、が規定された状態となる。
【０１８０】
さらに、第１生成部５６Ｐは、受付部５６Ｍで受け付けた設定情報に応じて、第２光沢制御版データを生成することが好ましい。
【０１８１】
詳細には、まず、受付部５６Ｍが入力部５８から受け付けた設定情報に、第１設定〜第６設定の何れも含まれない場合を想定する。これは、図１４に示す印刷設定テーブルにおける識別情報「１」がユーザによって入力された場合である。すなわち、第１設定〜第６設定の何れについても、対応するオンオフ情報が「Ｏｆｆ（オフ）」の場合である。
【０１８２】
この場合、第１生成部５６Ｐは、この設定情報に応じて、第１光沢制御版データに定められた表面効果の種類および光沢領域と、該表面効果の種類に対応する読取部５６Ｋで読取った紐付効果の種類および紐付効果を付与する紐付領域と、を異なるページに規定した、第２光沢制御版データを生成する。
【０１８３】
すなわち、第１生成部５６Ｐは、第１光沢制御版データに規定された光沢領域を該第１光沢制御版データによって規定される位置に配置したページと、紐付領域を該第１光沢制御版データによって規定される対応する位置に配置したページと、を含む、第２光沢制御版データを生成する。
【０１８４】
図１５は、第２光沢制御版データの生成の説明図である。
【０１８５】
図１５（Ａ）に示すように、例えば、第１光沢制御版データ７１における、領域７１Ａおよび領域７１Ｂに、表面効果が規定されていたとする。そして、この領域７１Ａには、表面効果の種類として「鏡面光沢タイプＡ」が規定されており、対応する紐付効果として「鏡面光沢タイプＢ」が読取られたとする。また、領域７１Ｂには、表面効果の種類として、「網点マットタイプ１」が規定されており、対応する紐付効果として「透かし文字１（見本）」が読取られたとする。
【０１８６】
この場合、第１生成部５６Ｐは、図１５（Ｂ）に示す印刷結果７２が得られるように、第２光沢制御版データ７３を生成する。なお、印刷結果７２には、実際には、第１有色版データに応じた有色画像が含まれるが、図１５（Ｂ）では記載を省略している。
【０１８７】
第１生成部５６Ｐは、第２光沢制御版データ７３として、領域７１Ａに表面効果である「鏡面光沢タイプＡ」を規定し、領域７１Ｂに表面効果である「網点マットタイプ１」を規定した、ページ（印刷物７２１を得るための第２光沢制御版データのページ７３１）と、領域７１Ａに紐付効果である「鏡面光沢タイプＢ」を規定し、領域７１Ｂに表面効果である「透かし文字１（見本）」を規定した、ページ（印刷物７２２を得るための第２光沢制御版データのページ７３２）と、を生成する。
【０１８８】
このように、この場合、第１生成部５６Ｐは、第１光沢制御版データ７１に規定された光沢領域と、対応する紐付領域と、を別々のページに印刷するように、第２光沢制御版データ７３を生成する。
【０１８９】
このため、例えば、１ページ目の印刷物７２１には第１光沢制御版データ７１に規定された表面効果の光沢領域、２ページ目の印刷物７２２には該表面効果に対応する紐付効果の紐付領域が印刷される。
【０１９０】
なお、図１５（Ａ）には、全ページが１ページである第１光沢制御版データ７１を示した。しかし、第１光沢制御版データ７１が複数ページから構成される場合には、第１生成部５６Ｐは、例えば、第１光沢制御版データ７１における１ページおよび２ページの各々に規定された表面効果の光沢領域を、記録媒体の１ページ目、２ページ目、の各々に印刷するように、第２光沢制御版データを生成すればよい。また、第１生成部５６Ｐは、第１光沢制御版データ７１における１ページに規定された表面効果に対応する紐付効果の紐付領域を、記録媒体の３ページ目に印刷し、第１光沢制御版データ７１における２ページに規定された表面効果に対応する紐付効果の紐付領域を、記録媒体の４ページ目に印刷するように、第２光沢制御版データを生成すればよい。
【０１９１】
また、表面効果と紐付け効果を見比べやすくするために、第１光沢制御版データ７１における１ページに規定された表面効果の光沢領域を記録媒体の１ページ目、第１光沢制御版データ７１における１ページに規定された表面効果に対応する紐付効果の紐付領域を、記録媒体の２ページ目、第１光沢制御版データ７１における２ページに規定された表面効果の光沢領域を記録媒体の３ページ目、第１光沢制御版データ７１における２ページに規定された表面効果に対応する紐付効果の紐付領域を、記録媒体の４ページ目、とするように、第２光沢制御版データを生成してもよい。
【０１９２】
また、第１光沢制御版データに規定された表面効果の種類に対応する、紐付効果が複数ある場合には、第１生成部５６Ｐは、対応する紐付効果の数に応じた枚数の記録媒体に、各々の紐付領域を印刷するように、第２光沢制御版データを生成すればよい。
【０１９３】
なお、第１生成部５６Ｐは、光沢領域および紐付領域の各々に対応する位置に、対応する光沢領域の表面効果の種類や濃度値を示す文字情報、および、対応する紐付領域の紐付効果の種類や濃度値を示す文字情報、の各々を示す有色画像を付加した、第２有色版データを生成することが好ましい。
【０１９４】
すなわち、第１生成部５６Ｐは、印刷結果に、図１５（Ｂ）に示すように、隣接する位置の光沢領域の表面効果の種類または紐付領域の紐付効果の種類を示す文字情報Ｔが形成されるように、第２有色版データを生成することが好ましい。この処理に、ユーザは、記録媒体に形成された各領域が、どの種類の表面効果または紐付効果を示すものであるか、容易に把握することができる。また、第１生成部５６Ｐは、この文字情報に、印刷モードの設定情報を更に含めてもよい。なお、文字情報Ｔについては、以下に説明する、図１６〜図１８−４についても同様である。
【０１９５】
次に、受付部５６Ｍが入力部５８から受け付けた設定情報に、第１設定のみが含まれる場合を説明する。これは、図１４に示す印刷設定テーブルにおける識別情報「２」がユーザによって入力された場合である。すなわち、第１設定〜第６設定の内、第１設定に対応するオンオフ情報が「Ｏｎ（オン）」であり、他の設定に対応するオンオフ情報は「Ｏｆｆ（オフ）」の場合である。なお、第１設定は、上述したように、第１有色版データの抽出を示す情報である。
【０１９６】
第１生成部５６Ｐは、受け付けた設定情報が第１有色版データの抽出を示す第１設定を示す場合に、第１有色版データによって規定される有色画像から、第１光沢制御版データによって示される光沢領域に重複する重複領域を抽出した第２有色版データを更に生成する。なお、この第２有色版データは、上述した文字情報Ｔを含むことが好ましい。
【０１９７】
図１６は、受け付けた設定情報が第１有色版データの抽出を示す第１設定を示す場合の、第２光沢制御版データの生成の説明図である。
【０１９８】
図１５（Ａ）と同様に、例えば、第１光沢制御版データ７１における、領域７１Ａおよび領域７１Ｂに、表面効果が規定されていたとする（図１６（Ａ）参照）。そして、この領域７１Ａには、表面効果の種類として「鏡面光沢タイプＡ」が規定されており、対応する紐付効果として「鏡面光沢タイプＢ」が読取られたとする。また、領域７１Ｂには、表面効果の種類として、「網点マットタイプ１」が規定されており、対応する紐付効果として「透かし文字１（見本）」が読取られたとする。
【０１９９】
また、図１６（Ａ）に示すように、第１有色版データ７４に、有色トナーを付与するための有色画像７４Ｃが規定されていたとする。
【０２００】
この場合、第１生成部５６Ｐは、第１有色版データ７４によって規定される有色画像７４Ｃから、第１光沢制御版データ７１によって示される光沢領域（領域７１Ａ、領域７１Ｂ）と重複する重複領域７４１Ｃ、７４２Ｃを抽出した、第２有色版データを生成する。
【０２０１】
なお、受け付けた設定情報に含まれる、第１設定以外の設定（第２設定〜第６設定）に対応するオンオフ情報が「Ｏｆｆ（オフ）」である場合、第１生成部５６Ｐは、第１設定〜第６設定に対応するオンオフ情報が全て「Ｏｆｆ（オフ）」である場合と同様にして、第２光沢制御版データを生成する。
【０２０２】
このため、受け付けた設定情報が第１設定を示す場合、第１生成部５６Ｐは、図１６（Ｂ）に示す印刷結果７５が得られるように、第２光沢制御版データ７３、第２有色版データ７６を生成する。第２光沢制御版データ７３は、図１５（Ｂ）の第２光沢制御版データ７３と同様である。
【０２０３】
第２有色版データ７６は、第１有色版データ７４に規定された有色画像７４Ｃにおける、光沢領域との重複領域７４１Ｃ、７４２Ｃを抽出したデータである。なお、第１生成部５６Ｐは、第２光沢制御版データ７３のページ数と同じページ数の、第２有色版データ７６を生成する。
【０２０４】
このため、第２有色版データ７６によって規定される、上記重複領域である有色画像と、第２光沢制御版データ７３によって規定される光沢領域、および、紐付領域、の各々と、を重ねた印刷結果は、図１６（Ｂ）に示す印刷結果７５となる。
【０２０５】
第１有色版データによって規定される有色画像には、第１光沢制御版データによって規定された光沢領域に重複しない領域が存在する場合がある。テスト印刷によって、表面効果を確認する場合、有色画像における、光沢領域に非重複の領域については、特に印刷する必要がない。このため、受け付けた設定情報が第１設定を示す場合、第１生成部５６Ｐは、図１６（Ｂ）に示す印刷結果７５が得られるように、第２光沢制御版データ７３、第２有色版データ７６を生成する。
【０２０６】
このため、有色トナーなどの有色色材の消費量を抑制することができる。
【０２０７】
次に、受付部５６Ｍが入力部５８から受け付けた設定情報に、第２設定のみが含まれる場合を説明する。これは、図１４に示す印刷設定テーブルにおける識別情報「３」がユーザによって入力された場合である。すなわち、第１設定〜第６設定の内、第２設定（印刷速度）に対応するオンオフ情報が「Ｏｎ（オン）」であり、他の設定に対応するオンオフ情報は「Ｏｆｆ（オフ）」の場合である。なお、第２設定は、上述したように、印刷速度を示す情報であり、第２設定に対応するオンオフ情報が「Ｏｎ（オン）」である場合、速度優先および画質優先の双方を示す。
【０２０８】
第１生成部５６Ｐは、受け付けた設定情報に示される第２設定が、画質優先と速度優先の双方を示す場合（対応するオンオフ情報が「Ｏｎ（オン）」である場合）、画像優先としての第３光沢制御版データと、速度優先としての第４光沢制御版データと、を含む第２光沢制御版データを生成する。
【０２０９】
第３光沢制御版データは、第１光沢制御版データに定められた表面効果の種類および光沢領域と、該表面効果の種類に対応する読取った紐付効果の種類および紐付領域と、を規定した、画質優先としての光沢制御版データである。なお、第１生成部５６Ｐは、第３光沢制御版データの生成時には、総量規制処理を行わない。
【０２１０】
第４光沢制御版データは、第１光沢制御版データに定められた表面効果の種類および光沢領域と、該表面効果の種類に対応する読取った紐付効果の種類および紐付領域と、を規定すると共に、各画素に付与される色材の総量が総量規制値以下となるように濃度値を調整した、速度優先としての光沢制御版データである。
【０２１１】
図１７は、受け付けた設定情報に示される第２設定が、画質優先と速度優先の双方を示す場合の、第２光沢制御版データの生成の説明図である。
【０２１２】
図１５（Ａ）と同様に、例えば、第１光沢制御版データ７１における、領域７１Ａおよび領域７１Ｂに、表面効果が規定されていたとする（図１７（Ａ）参照）。そして、この領域７１Ａには、表面効果の種類として「鏡面光沢タイプＡ」が規定されており、対応する紐付効果として「鏡面光沢タイプＢ」が読取られたとする。また、領域７１Ｂには、表面効果の種類として、「網点マットタイプ１」が規定されており、対応する紐付効果として「透かし文字１（見本）」が読取られたとする。
【０２１３】
この場合、第１生成部５６Ｐは、図１７（Ｂ）に示す印刷結果７７の得られる第３光沢制御版データ７８と、図１７（Ｃ）に示す印刷結果７９の得られる第４光沢制御版データ８１と、を、第２光沢制御版データとして生成する。なお、印刷結果７７および印刷結果７９には、実際には、第１有色版データに応じた有色画像が含まれるが、図１７（Ｂ）および図１７（Ｃ）では記載を省略している。
【０２１４】
具体的には第１生成部５６Ｐは、第３光沢制御版データ７８として、領域７１Ａに表面効果である「鏡面光沢タイプＡ」を規定し、領域７１Ｂに表面効果である「網点マットタイプ１」を規定したページ７８１と、領域７１Ａに紐付効果である「鏡面光沢タイプＢ」を規定し、領域７１Ｂに表面効果である「透かし文字１（見本）」を規定したページ７８２と、を生成する（図１７（Ｂ）参照）。このとき、第１生成部５６Ｐは、上記総量規制処理を行わずに、第３光沢制御版データを生成する。
【０２１５】
また、第１生成部５６Ｐは、第４光沢制御版データ８１として、領域７１Ａに表面効果である「鏡面光沢タイプＡ」を規定し、領域７１Ｂに表面効果である「網点マットタイプ１」を規定したページ８１１と、領域７１Ａに紐付効果である「鏡面光沢タイプＢ」を規定し、領域７１Ｂに表面効果である「透かし文字１（見本）」を規定したページ８１２と、を生成する（図１７（Ｃ）参照）。このとき、第１生成部５６Ｐは、上記総量規制処理を行うことで、第４光沢制御版データを生成する。
【０２１６】
そして、第１生成部５６Ｐは、これらの第３光沢制御版データ、および第４光沢制御版データを、第２光沢制御版データとして生成する。
【０２１７】
このため、ユーザは、１回のテスト印刷によって、画質優先と速度優先の２通りの印刷モードの各々で形成された光沢領域および紐付領域を容易に確認することができ、通常印刷時に用いる印刷モードの判断に用いることができる。
【０２１８】
また、この場合、第１生成部５６Ｐは、光沢領域および紐付領域の各々に対応する位置に、対応する光沢領域の表面効果の種類、濃度値、および印刷モードを示す文字情報、および、対応する紐付領域の紐付効果の種類、濃度値、および印刷モードを示す文字情報、の各々を示す有色画像を付加した、第２有色版データを生成することが好ましい。
【０２１９】
この文字情報の印刷により、ユーザは、印刷結果がどの印刷モードで形成されたものかを、容易に確認することができる。
【０２２０】
次に、受付部５６Ｍが入力部５８から受け付けた設定情報が、第３設定を示す場合を説明する。第３設定（枚数指定）に対応するオンオフ情報が「Ｏｎ（オン）」である場合である。
【０２２１】
なお、上述したように、第３設定は、光沢領域および紐付領域を、設定された枚数の記録媒体に印刷することを示す。なお、以下では、説明を簡略化するために、第３設定で設定された枚数は、１枚であるものとして説明する。なお、第３設定で設定される記録媒体の枚数は、Ｎ枚（Ｎは１以上の整数）であればよく、１枚に限定されない。
【０２２２】
受け付けた設定情報が第３設定を示す場合、第１生成部５６Ｐは、第１光沢制御版データに含まれる各ページの各々に定められた光沢領域と、対応する紐付領域と、を第３設定で設定された枚数のページに配置した、第２光沢制御版データを生成する。
【０２２３】
光沢領域と紐付領域とを、第３設定で指定された枚数のページに配置する方法は、限定されず、様々な方法が挙げられる。本実施の形態では、一例として、第４設定〜第６設定の３種類の方法を挙げて説明する。
【０２２４】
まず、受付部５６Ｍで入力部５８から受け付けた設定情報が、第３設定と、第４設定と、を示す場合を説明する。これは、図１４に示す印刷設定テーブルにおける識別情報「４−１」がユーザによって入力された場合である。すなわち、第１設定〜第６設定の内、第３設定（枚数指定）と第４設定（配置変更）に対応するオンオフ情報が「Ｏｎ（オン）」であり、他の設定に対応するオンオフ情報は「Ｏｆｆ（オフ）」の場合である。
【０２２５】
なお、上述したように、第４設定は、第１光沢制御版データに規定された表面効果の種類の光沢領域、および該表面効果の種類に対応する紐付効果の紐付領域を、１ページ内（第３設定で設定された枚数）に収まるように再配置することを示す。
【０２２６】
受け付けた設定情報が第３設定と第４設定を含む場合、第１生成部５６Ｐは、第１光沢制御版データに含まれる各ページの各々に規定された光沢領域と、光沢領域に対応する読取った紐付領域と、の各々を、１ページ内（第３設定で設定された枚数）に収まるように再配置した、第２光沢制御版データを生成する。
【０２２７】
また、設定情報が、第３設定と、第５設定と、を示す場合についても説明する。これは、図１４に示す印刷設定テーブルにおける識別情報「４−２」がユーザによって入力された場合である。すなわち、第１設定〜第６設定の内、第３設定（枚数指定）と第５設定（集約）に対応するオンオフ情報が「Ｏｎ（オン）」であり、他の設定に対応するオンオフ情報は「Ｏｆｆ（オフ）」の場合である。
【０２２８】
なお、上述したように、第５設定は、複数ページからなる第１光沢制御版データによって規定された表面効果の種類の光沢領域、および該表面効果の種類に対応する紐付効果の種類の紐付領域を、１ページ（第３設定で定められた枚数）に集約することを示す。
【０２２９】
受け付けた設定情報が、第３設定と第５設定とを示す場合、第１生成部５６Ｐは、第１光沢制御版データに含まれる各ページの各々に規定された光沢領域と、光沢領域に対応する紐付領域と、を第２光沢制御版データの各ページ内における光沢領域の相対位置を維持したまま、１ページに集約させて配置した、第２光沢制御版データを生成する。
【０２３０】
また、受け付けた設定情報が、第３設定と第６設定とを示す場合についても説明する。これは、図１４に示す印刷設定テーブルにおける識別情報「４−３」がユーザによって入力された場合である。すなわち、第１設定〜第６設定の内、第３設定（枚数指定）と第６設定に対応するオンオフ情報が「Ｏｎ（オン）」であり、他の設定に対応するオンオフ情報は「Ｏｆｆ（オフ）」の場合である。
【０２３１】
なお、上述したように、第６設定は、光沢領域および紐付領域の各々を予め定めた形状で配置することを示す。
【０２３２】
受け付けた設定情報が、第３設定と第６設定とを示す場合、第１生成部５６Ｐは、第１光沢制御版データに含まれる各ページの各々に規定された光沢領域と、光沢領域に対応する読取った紐付領域と、の各々を、１ページ内（第３設定で定められた枚数）に、第６設定により規定された形状として配置した、第２光沢制御版データを生成する。
【０２３３】
図１８−１〜図１８−４は、受け付けた設定情報が、第３設定と、第６設定、第４設定、および第５設定の何れかと、を示す場合の、第２光沢制御版データの生成の説明図である。
【０２３４】
例えば、第１光沢制御版データ７１における、１ページ目７１１の領域７１Ａおよび領域７１Ｂに、表面効果が規定されていたとする（図１８−１参照）。そして、この領域７１Ａには、表面効果の種類として「鏡面光沢タイプＡ」が規定されており、対応する紐付効果として「鏡面光沢タイプＢ」が読取られたとする。また、領域７１Ｂには、表面効果の種類として、「網点マットタイプ１」が規定されており、対応する紐付効果として「透かし文字１（見本）」が読取られたとする。
【０２３５】
また、第１光沢制御版データ７１における、２ページ目７１２の領域７１Ｃおよび領域７１Ｄについても、表面効果が規定されていたとする（図１８−１参照）。そして、この領域７１Ｃには、表面効果の種類として「ベタ光沢  タイプ３」が規定されており、対応する紐付効果として「ベタ光沢  タイプ１」が読取られたとする。また、領域７１Ｄには、表面効果の種類として、「つや消しタイプＡ」が規定されており、対応する紐付効果として「地紋パターン２（格子）」が読取られたとする。
【０２３６】
この場合、第１生成部５６Ｐは、図１８−２、図１８−３、図１８−４の各々に示す印刷結果８２、８４、８６の得られる第２光沢制御版データ８３、８５、８７を生成する。
【０２３７】
詳細には、受け付けた設定情報が第３設定と第４設定とを示す場合、第１生成部５６Ｐは、図１８−２に示す印刷結果８２の得られる第２光沢制御版データ８３を生成する。なお、印刷結果８２には、実際には、第１有色版データに応じた有色画像が含まれるが、図１８−２では記載を省略している。
【０２３８】
具体的には、第１生成部５６Ｐは、第２光沢制御版データ８３として、第３設定で設定された枚数のページ内（本実施の形態では、一例として、１ページ内）に、領域７１Ａ１と、領域７１Ａ２と、領域７１Ｂ１と、領域７１Ｂ２と、領域７１Ｃ１と、領域７１Ｃ２と、領域７１Ｄ１と、領域７１Ｄ２と、を含む、第２光沢制御版データを生成する。
【０２３９】
領域７１Ａ１は、表面効果である「鏡面光沢タイプＡ」を規定した領域である。領域７１Ａ２は、該表面効果の種類の紐付効果である「鏡面光沢タイプＢ」を規定した領域である。領域７１Ｂ１は、表面効果である「網点マットタイプ１」を規定した領域である。領域７１Ｂ２は、該表面効果の種類の紐付効果である「透かし文字１（見本）」を規定した領域である。領域７１Ｃ１は、表面効果である「ベタ光沢タイプ３」を規定した領域である。領域７１Ｃ２は、該表面効果の種類の紐付効果である「ベタ光沢タイプ１」を規定した領域である。領域７１Ｄ１は、表面効果である「つや消しタイプＡ」を規定した領域である。領域７１Ｄ２は、該表面効果の種類の紐付効果である「地紋パターン２（格子）」を規定した領域である。
【０２４０】
このように、第１光沢制御版データ７１における各ページに規定された光沢領域を抽出し、該第１光沢制御版データ７１で規定された該光沢領域の形状および大きさを維持したまま、第２光沢制御版データ８３の１ページ内に再配置すると共に、抽出した光沢領域の表面効果の種類に対応する紐付領域を、対応する光沢領域の形状および大きさで第２光沢制御版データ８３の同じページ内に配置する。この配置により、第１生成部５６Ｐは、第２光沢制御版データ８３を生成する。
【０２４１】
一方、受け付けた設定情報が第３設定と第５設定とを示す場合、第１生成部５６Ｐは、図１８−３に示す印刷結果８４の得られる第２光沢制御版データ８５を生成する。なお、印刷結果８４には、実際には、第１有色版データに応じた有色画像が含まれるが、図１８−３では記載を省略している。
【０２４２】
具体的には、第１生成部５６Ｐは、第３設定で設定された枚数のページ内（本実施の形態では、一例として、１ページ内）に、複数ページからなる第１光沢制御版データ７１１〜７１２（７１）（図１８−１参照）に含まれる各ページの各々に規定された光沢領域と、光沢領域に対応する読取った紐付領域と、を、第２光沢制御版データの各ページ内における光沢領域の相対位置を維持したまま、設定された枚数のページ（本実施の形態では１ページ）に集約させて配置した、第２光沢制御版データ８５を生成する。
【０２４３】
言い換えると、第１生成部５６Ｐは、複数ページからなる第１光沢制御版データ７１１〜７１２（７１）（図１８−１参照）に含まれる各ページの各々に規定された光沢領域と、光沢領域に対応する読取った紐付領域と、を別々のページに配置し、更に、設定された枚数のページに集約させて配置する。
【０２４４】
このように、第１生成部５６Ｐは、第１光沢制御版データ７１の各ページに示される光沢領域の、各ページ内における相対位置を維持したまま、光沢領域の定められた各ページと、対応する紐付領域の定められた各ページと、の各々を、１ページに集約させた第２光沢制御版データ８５（図１８−３参照）を生成する。
【０２４５】
この場合、第１生成部５６Ｐは、第１光沢制御版データ７１の各ページ内における光沢領域の相対位置を維持したまま、指定された枚数に集約させた、第２光沢制御版データ８５を生成することができる。このため、第１光沢制御版データ７１で規定された各光沢領域の配置関係を確認しつつ、他の表面効果も容易に確認することができる。
【０２４６】
また、受け付けた設定情報が第３設定と第６設定とを示す場合、第１生成部５６Ｐは、図１８−４に示す印刷結果８６の得られる第２光沢制御版データ８７を生成する。なお、印刷結果８６には、実際には、第１有色版データに応じた有色画像が含まれるが、図１８−４では記載を省略している。
【０２４７】
具体的には、第１生成部５６Ｐは、第３設定で設定された枚数のページ内（本実施の形態では、一例として、１ページ内）に、第１光沢制御版データ７１に含まれる各ページの各々に規定された光沢領域と、光沢領域に対応する読取った紐付領域と、の各々を、１ページ内の、第６設定により予め規定された形状として配置した、第２光沢制御版データ８７を生成する。予め規定された形状とするために、第１生成部５６Ｐは、例えば、対応する各領域（光沢領域、紐付領域）から、予め規定された形状（例えば、矩形状や円形状）の領域を抽出すればよい。
【０２４８】
図１８−４に示す例では、第１生成部５６Ｐは、第２光沢制御版データ８７として、第１制御版データ７１に規定された表面効果の種類の光沢領域と、該表面効果の種類の紐付効果である紐付領域と、を予め規定された形状（例えば、矩形状）に変形して配列した、第２光沢制御版データ８７を生成する。
【０２４９】
このため、第１光沢制御版データに、多数の種類の表面効果の表面領域が規定されている場合や、多数の紐付領域が読取られた場合などであっても、指定された枚数内に収まるように、第２光沢制御版データを生成することができる。
【０２５０】
図１０に戻り、第２生成部５６Ｇは、判別部５６Ｂによって種別情報がテスト印刷を示すと判別された場合に、第１生成部５６Ｐで生成された第２光沢制御版データから、記録媒体に特色色材を付与する実行部（印刷装置３０）で用いる特色色材版データを生成する。
【０２５１】
特色色材版データは、第２光沢制御版データにおける濃度値に対応する規定内容を画素ごとに定めたものである。第２生成部５６Ｇは、記憶部５６Ｄに記憶されている表面効果選択テーブルに基づいて、第２光沢制御版データに規定された第１濃度値（表面効果の濃度値）と、第２濃度値（紐付効果の濃度値）と、の各々に対応する、グロッサ８０のオンオフ情報と、特色色材版データの規定内容と、を判断する。
【０２５２】
そして、第２生成部５６Ｇは、判断結果に応じて、グロッサ８０のオンオフを決定すると共に、ガンマ補正されたＣＭＹＫの８ビットの第１有色版データを用いてインバースマスクやベタマスクなどを適宜生成することにより、特色トナーを付着させるための２ビットの特色色材版データを生成する。このとき、第２生成部５６Ｇは、表面効果選択テーブルにおける、第２光沢制御版データの各画素の第１濃度値および第２濃度値の各々に対応する特色色材版データの規定内容に応じて、プリンタ機７０で用いる特色色材版データ（クリアトナー版１）と、低温定着機９０で用いる特色色材版データ（クリアトナー版２）と、を適宜生成する。
【０２５３】
そして、第２生成部５６Ｇは、生成した２ビットの特色色材版データと、決定したグロッサ８０のオンまたはオフを示すオンオフ情報と、をｓｉ３部５７へ出力する。
【０２５４】
切替制御部５６Ｅは、第１生成部５６Ｐから、印刷モードの切り替えタイミングを示すタイミング情報を受け付ける。第１生成部５６Ｐは、受付部５６Ｍで受け付けた設定情報に示される第２設定が、画質優先と速度優先の双方を示す場合に、上記画質優先としての第３光沢制御版データに応じた画像形成時と、上記速度優先としての第４光沢制御版データに応じた画像形成時と、で印刷モードを変更するためのタイミング情報を生成する。そして、第１生成部５６Ｐは、総量規制値およびタイミング情報を切替制御部５６Ｅへ送信する。
【０２５５】
切替制御部５６Ｅは、受け付けたタイミング情報に示されるタイミングに従い、総量規制値をＴＲＣ５３へ出力すると共に、印刷装置３０のエンジンスピードを設定する。具体的には、切替制御部５６Ｅは、画質優先としての第３光沢制御版データに応じた画像形成時には、エンジンスピードを落としてより多くのトナー（色材）を付着できる画質優先モードで印刷を実行するように印刷装置３０を制御する。また、切替制御部５６Ｅは、速度優先としての第４光沢制御版データに応じた画像形成時には、エンジンスピードを落とさずに生産性を優先した速度優先モードで印刷を実行するように印刷装置３０を制御する。
【０２５６】
このため、印刷装置３０では、設定情報に応じて、上述した印刷結果７２、７５、７７、７９、８２、８４、８６（図１５〜図１７、図１８−２〜図１８−４参照）を得ることができる。
【０２５７】
次に、本実施の形態に係るＤＦＥ５０のクリアプロセッシング５６が実行する画像処理の手順を説明する。図１９は、画像処理の手順を示すフローチャートである。
【０２５８】
まず、取得部５６Ａが、種別情報と、第１光沢制御版データと、第１有色版データと、を含む印刷データを取得する（ステップＳ１００）。そして、取得部５６Ａは、取得した印刷データを記憶部５６Ｄに記憶する（ステップＳ１０２）。
【０２５９】
次に、判別部５６Ｂが、ステップＳ１００で取得した種別情報が、通常印刷であるかテスト印刷であるかを判別する（ステップＳ１０４）。
【０２６０】
通常印刷と判別されると（ステップＳ１０４：Ｎｏ）、ステップＳ１０６へ進む。ステップＳ１０６では、算出部５６Ｈが、ステップＳ１００で取得した第１光沢制御版データにおける分析情報を算出する。本実施の形態では、算出部５６Ｈは、分析情報として、第１光沢制御版データにおける表面効果の種類の使用回数と、第１光沢制御版データにおける表面効果の種類に対応する光沢領域の面積と、を算出する（ステップＳ１０６）。
【０２６１】
次に、第１更新部５６Ｉが、ステップＳ１０６で算出した、各表面効果の種類の使用回数と、光沢領域の面積と、の算出結果を用いて、記憶部５６Ｄに記憶されている履歴情報を更新する（ステップＳ１０８）。
【０２６２】
次に、第２更新部５６Ｊが、ステップＳ１０８で更新された履歴情報を分析し（ステップＳ１１０）、分析結果に応じて、表面効果の種類の各々に対応する紐付効果の種類を選択して表面効果選択テーブルに登録することで、表面効果選択テーブルを更新する（ステップＳ１１２）。そして、後述するステップＳ１２２へ進む。
【０２６３】
一方、ステップＳ１０４でテスト印刷と判断すると（ステップＳ１０４：Ｙｅｓ）、ステップＳ１１４へ進む。
【０２６４】
ステップＳ１１４では、読取部５６Ｋが、ステップＳ１００で取得した第１光沢制御版データに定められた濃度値に対応する表面効果の種類、および、該濃度値に対応する紐付効果の種類を、表面効果選択テーブルから読取る（ステップＳ１１４）。
【０２６５】
次に、受付部５６Ｍが、表面効果を与える光沢領域と、紐付効果を与える紐付領域と、の各々の記録媒体への印刷設定を示す設定情報の指定を受け付ける（ステップＳ１１６）。
【０２６６】
次に、第１生成部５６Ｐが、ステップＳ１１６で受け付けた設定情報に応じて、第２光沢制御版データを生成する（ステップＳ１１８）。また、第１生成部５６Ｐは、ステップＳ１１６で受け付けた設定情報に応じて、第１有色版データから第２有色版データを生成する。
【０２６７】
第１生成部５６Ｐは、ステップＳ１１８で第２有色版データを生成した場合、ハーフトーンエンジン５５（図８参照）へ出力する（ステップＳ１２０）。そして、ステップＳ１２２へ進む。
【０２６８】
ステップＳ１２２では、第２生成部５６Ｇが、特色色材版データを生成する（ステップＳ１２４）。第２生成部５６Ｇは、上記ステップＳ１０４で通常印刷と判別された場合には、ステップＳ１００で取得した第１光沢制御版データを用いて、特色色材版データを生成する。一方、ステップＳ１０４でテスト印刷と判別された場合には、ステップＳ１１８で生成された第２制御版データを用いて、特色色材版データを生成する。
【０２６９】
次に、第２生成部５６Ｇは、生成した特色色材版データを、ｓｉ３部５７へ出力する（ステップＳ１２４）。
【０２７０】
次に、切替制御部５６Ｅが、印刷モードの切替を要するか否かを判断する（ステップＳ１２６）。切替制御部５６Ｅは、ステップＳ１１６で受付部５６Ｍが受け付けた設定情報に示される第２設定が、画質優先と速度優先の双方を示すか否かを判別することで、ステップＳ１２６の判断を行う。画質優先と速度優先の双方を示す場合とは、第２設定に対応するオンオフ情報が「Ｏｎ（オン）」である場合である。
【０２７１】
切替を要さない場合（ステップＳ１２６：Ｎｏ）、本ルーチンを終了する。切替を要する場合（ステップＳ１２６：Ｙｅｓ）、ステップＳ１２８へ進む。
【０２７２】
ステップＳ１２８では、切替制御部５６Ｅが、第１生成部５６Ｐから受け付けたタイミング情報に示されるタイミングに従い、総量規制値をＴＲＣ５３へ出力すると共に、印刷装置３０のエンジンスピードを設定する（ステップＳ１２８）。そして、本ルーチンを終了する。
【０２７３】
以上説明したように、本実施の形態のＤＦＥ５０は、記憶部５６Ｄと、取得部５６Ａと、判別部５６Ｂと、読取部５６Ｋと、第１生成部５６Ｐと、第２生成部５６Ｇと、を含む。記憶部５６Ｄは、記録媒体に対する視覚的または触覚的な効果である表面効果を示す濃度値と、表面効果の種類と、表面効果の種類に関連する他の表面効果としての紐付効果の種類と、を対応づけた表面効果選択テーブルを予め記憶する。取得部５６Ａは、通常印刷またはテスト印刷を示す種別情報と、表面効果の種類と表面効果を与える光沢領域とを規定するための濃度値が定められた第１光沢制御版データと、有色画像の第１有色版データと、を含む印刷データを取得する。判別部５６Ｂは、種別情報が通常印刷を示すかテスト印刷を示すかを判別する。読取部５６Ｋは、種別情報がテスト印刷と判別された場合に、第１光沢制御版データに定められた濃度値に対応する、表面効果の種類および紐付効果の種類を、表面効果選択テーブルから読取る。第１生成部５６Ｐは、第１光沢制御版データに定められた表面効果の種類および光沢領域と、該表面効果の種類に対応する読取った紐付効果の種類および紐付効果を付与する紐付領域と、を規定した第２光沢制御版データを生成する。第２生成部５６Ｇは、第２光沢制御版データから、記録媒体に特色色材を付与する実行部（印刷装置３０）で用いる特色色材版データを生成する。
【０２７４】
このため、印刷装置３０では、第２光沢制御版データに応じて記録媒体に特色色材（本実施の形態では、クリアトナー）を付与することで、第１光沢制御版データで規定された表面効果の光沢領域に加えて、該表面効果に関連する他の表面効果としての紐付効果の紐付領域を、記録媒体上に形成することができる。
【０２７５】
従って、本実施の形態のＤＦＥ５０では、印刷データ（具体的には、第１光沢制御版データ）に定められた種類以外の表面効果を容易に確認することができる。
【０２７６】
＜変形例１＞
なお、上記実施の形態１では、ＤＦＥ５０と、印刷装置３０と、を別体として構成した場合を説明した。しかし、ＤＦＥ５０と、印刷装置３０を構成する各機器（プリンタ機７０、グロッサ８０、および低温定着機９０の少なくとも１つ）と、を一体的に設けた構成としてもよい。
【０２７７】
図２０は、本変形例の画像処理システムの一例を示す模式図である。画像処理システムは、ホスト装置１０と、複合装置３０Ａと、を備えた構成である。ホスト装置１０と、複合装置３０Ａと、は信号やデータ授受可能に接続されている。複合装置３０Ａは、ＤＦＥ５０と、ＭＩＣ６０と、プリンタ機７０と、グロッサ８０と、低温定着機９０と、を含む。
【０２７８】
ホスト装置１０、ＤＦＥ５０、ＭＩＣ６０、及びプリンタ機７０の構成は、実施の形態１と同様である。
【０２７９】
このように、ＤＦＥ５０と、プリンタ機７０、グロッサ８０、および低温定着機９０の少なくとも１つと、を一体的に構成してもよい。
【０２８０】
（実施の形態２）
なお、実施の形態１における、一の装置で行っていた複数の処理のいずれかを、一の装置とネットワークを介して接続する１以上の他の装置で行う構成にしてもよい。
【０２８１】
その一例として、本実施の形態の画像処理システムでは、ＤＦＥの機能の一部を、ネットワーク上のサーバ装置上に実装している。
【０２８２】
図２１は、本実施の形態に係る画像処理システムの構成を例示する図である。図２１に示すように、本実施の形態の画像処理システムは、ホスト装置１０と、ＤＦＥ３０５０と、ＭＩＣ６０と、印刷装置３０（プリンタ機７０、グロッサ８０、低温定着機９０）と、クラウド上のサーバ装置３０６０と、を備えている。ホスト装置１０、ＭＩＣ６０、及び印刷装置３０は、実施の形態１と同様である。
【０２８３】
本実施の形態では、ＤＦＥ３０５０がインターネット等のネットワークを介して、サーバ装置３０６０と接続された構成となっている。また、本実施の形態では、実施の形態１のＤＦＥ５０の、取得部５６Ａ、判別部５６Ｂ、分析部５６Ｃ、記憶部５６Ｄ、切替制御部５６Ｅ、読取部５６Ｋ、受付部５６Ｍ、第１生成部５６Ｐ、および第２生成部５６Ｇを、サーバ装置３０６０に設けた構成となっている。
【０２８４】
すなわち、具体的には、本実施の形態では、ＤＦＥ３０５０がインターネット等のネットワーク（クラウド）を介して、単一のサーバ装置３０６０に接続し、サーバ装置３０６０で、特色色材版データの生成を行うように構成している。
【０２８５】
まず、サーバ装置３０６０について説明する。図２２は、本実施の形態にかかるサーバ装置３０６０の機能的構成を示すブロック図である。サーバ装置３０６０は、記憶部３０７０と、取得部３０６１と、判別部３０６２と、分析部３０６３と、切替制御部３０６４と、読取部３０７１、受付部３０７２、第１生成部３０７３、第２生成部３０７４と、通信部３０６７と、を備える。
【０２８６】
記憶部３０７０は、ＨＤＤやメモリ等の記憶媒体である。記憶部３０７０は、実施の形態１の記憶部５６Ｄに相当する。取得部３０６１、判別部３０６２、分析部３０６３、切替制御部３０６４、読取部３０７１、受付部３０７２、第１生成部３０７３、および第２生成部３０７４の各々は、取得部５６Ａ、判別部５６Ｂ、分析部５６Ｃ、記憶部５６Ｄ、切替制御部５６Ｅ、読取部５６Ｋ、受付部５６Ｍ、第１生成部５６Ｐ、および第２生成部５６Ｇにそれぞれ相当する。
【０２８７】
通信部３０６７は、ＤＦＥ３０５０との間で各種データや要求の送受信を行う。より具体的には、通信部３０６７は、ＤＦＥ３０５０から、印刷データを受信する。また、通信部３０６７は、特色色材版データやオンオフ情報などを、ＤＦＥ３０５０へ出力する。
【０２８８】
図２３は、ＤＦＥ３０５０の機能ブロック図である。
【０２８９】
ＤＦＥ３０５０は、レンダリングエンジン５１と、ｓｉ１部５２と、ＴＲＣ５３と、ｓｉ２部５４と、ハーフトーンエンジン５５と、ｓｉ３部５７と、を備える。ＤＦＥ３０５０は、クリアプロセッシング５６を備えず、クリアプロセッシング５６へ出力するデータをサーバ装置３０６０へ送信し、クリアプロセッシング５６から受け付けるデータをサーバ装置３０６０から受信する以外は、実施の形態１のＤＦＥ５０と同様である。
【０２９０】
次に、以上のように構成された本実施の形態に係る画像処理システムによる画像処理について説明する。図２４は、本実施の形態にかかる画像処理の全体の流れを示すシーケンス図である。
【０２９１】
まず、ＤＦＥ３０５０が印刷データを受信する（ステップＳ３００）。次に、ＤＦＥ３０５０がＣＭＹＫの８ビットの第１有色版データを生成する（ステップＳ３０２）。次に、ＤＦＥ３０５０が、８ビットの第１光沢制御版データを生成する（ステップＳ３０４）。
【０２９２】
次に、ＤＦＥ３０５０が、ＣＭＹＫの８ビットの第１有色版データと、８ビットの第１光沢制御版データと、種別情報と、を含む印刷データをサーバ装置３０６０へ送信する（ステップＳ３０６）。
【０２９３】
次に、サーバ装置３０６０が、特色色材版生成処理を実行する（ステップＳ３０８）。ステップＳ３０８の処理は、実施の形態１において図１９を用いて説明した処理（ステップＳ１００〜ステップＳ１２８、図１９参照）と同様である。
【０２９４】
次に、サーバ装置３０６０が、特色色材版データをＤＦＥ３０５０へ出力する（ステップＳ３１０）。なお、サーバ装置３０６０は、実施の形態１と同様に、判別部３０６２の判別結果に応じて、第２有色版データ、光沢制御値、タイミング情報をＤＦＥ３０５０へ出力する。
【０２９５】
ＤＦＥ３０５０は、２ビットの有色色材版データを生成する（ステップＳ３１２）。そして、ＤＦＥ３０５０は、サーバ装置３０６０から受け付けた特色色材版データと、有色色材版データと、を含む出力データを、ＭＩＣ６０を介して印刷装置３０へ出力する（ステップＳ３１４）。そして、本ルーチンを終了する。
【０２９６】
なお、ＭＩＣ６０、および印刷装置３０における処理については、実施の形態１と同様に行われる。
【０２９７】
このように本実施の形態では、特色色材版データの生成を、クラウド上のサーバ装置３０６０で行っているので、実施の形態１と同様の効果を奏する他、複数のＤＦＥ３０５０が存在する場合でも、出力データの生成を一括して行うことができ、管理者の便宜となる。
【０２９８】
（実施の形態３）
なお、上記実施の形態２では、クラウド上の単一のサーバ装置３０６０に、記憶部３０７０と、取得部３０６１と、判別部３０６２と、分析部３０６３と、切替制御部３０６４と、第２生成部３０７４と、を設け、サーバ装置３０６０で、特色色材版データの生成処理を行うように構成したが、これに限定されるものではない。
【０２９９】
例えば、クラウド上に２以上のサーバ装置を設け、上記処理を、２以上のサーバ装置で分散させて実行するように構成してもよい。図２５は、クラウド上に２つのサーバ（第１サーバ装置３８６０と第２サーバ装置３８６１）を設けたネットワーク構成図である。図２５の例では、第１サーバ装置３８６０と第２サーバ装置３８６１とで、特色色材版データの生成処理を分散して行うように構成する。なお、各処理の各サーバ装置への分散の形態は限定されず、任意に行うことができる。
【０３００】
すなわち、一の装置で行っていた複数の処理のいずれかを、一の装置とネットワークを介して接続する１以上の他の装置で行う構成にすることができる。
【０３０１】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０３０２】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０３０３】
また、本実施の形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０３０４】
上述した実施の形態および変形例のホスト装置１０、ＤＦＥ５０、３０５０、サーバ装置３０６０、第１サーバ装置３８６０、第２サーバ装置３８６１のハードウェア構成について説明する。
【０３０５】
図２６は、ホスト装置１０、ＤＦＥ５０、３０５０、サーバ装置３０６０、第１サーバ装置３８６０、第２サーバ装置３８６１のハードウェア構成図である。ホスト装置１０、ＤＦＥ５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０３０６】
上記実施の形態および変形例のホスト装置１０、ＤＦＥ５０、３０５０、サーバ装置３０６０、第１サーバ装置３８６０、第２サーバ装置３８６１で実行される画像処理（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０３０７】
また、上記実施の形態および変形例のホスト装置１０、ＤＦＥ５０、３０５０、サーバ装置３０６０、第１サーバ装置３８６０、第２サーバ装置３８６１で実行される画像処理プログラムを、インターネット等のネットワークに接続されたコンピュータ上に格納し、ネットワーク経由でダウンロードさせることにより提供するように構成しても良い。また、上記実施の形態および変形例のホスト装置１０、ＤＦＥ５０、３０５０、サーバ装置３０６０、第１サーバ装置３８６０、第２サーバ装置３８６１で実行される画像処理プログラムをインターネット等のネットワーク経由で提供または配布するように構成しても良い。
【０３０８】
また、上記実施の形態および変形例のホスト装置１０、ＤＦＥ５０、３０５０、サーバ装置３０６０、第１サーバ装置３８６０、第２サーバ装置３８６１で実行される画像処理プログラムを、ＲＯＭ等に予め組み込んで提供するように構成してもよい。
【０３０９】
なお、本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、以下に例示するような種々の変形が可能である。
【０３１０】
なお、上述した実施の形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０３１１】
３０  印刷装置
５０、３０５０  ＤＦＥ
５６  クリアプロセッシング
５６Ａ、３０６１  取得部
５６Ｄ、３０７０  記憶部
５６Ｇ、３０７４  第２生成部
５６Ｈ  算出部
５６Ｉ  第１更新部
５６Ｊ  第２更新部
５６Ｋ  読取部
５６Ｍ  受付部
５６Ｐ  第１生成部
３０６０  サーバ装置
【先行技術文献】
【特許文献】
【０３１２】
【特許文献１】特開２０１２−０８３７３６号公報
【図１】
2016066066.tif 000003
【図２】
2016066066.tif 000004
【図３】
2016066066.tif 000005
【図４】
2016066066.tif 000006
【図５】
2016066066.tif 000007
【図６】
2016066066.tif 000008
【図７】
2016066066.tif 000009
【図８】
2016066066.tif 000010
【図９】
2016066066.tif 000011
【図１０】
2016066066.tif 000012
【図１１】
2016066066.tif 000013
【図１２】
2016066066.tif 000014
【図１３】
2016066066.tif 000015
【図１４】
2016066066.tif 000016
【図１７】
2016066066.tif 000017
【図１８−１】
2016066066.tif 000018
【図１８−２】
2016066066.tif 000019
【図１８−３】
2016066066.tif 000020
【図１８−４】
2016066066.tif 000021
【図１９】
2016066066.tif 000022
【図２０】
2016066066.tif 000023
【図２１】
2016066066.tif 000024
【図２２】
2016066066.tif 000025
【図２３】
2016066066.tif 000026
【図２４】
2016066066.tif 000027
【図２５】
2016066066.tif 000028
【図２６】
2016066066.tif 000029
【図１５】
2016066066.tif 000030
【図１６】
2016066066.tif 000031